(57)【要約】【課題】消化管の管で吻合行うための方法に用いられる装置を提供する。【解決手段】吻合装置１０は、吻合を形成するよう意図された第１の組織部分１２および第２の組織部分１４を近づけ、互いに近接された状態に保つのに適している。吻合装置１０は、第１の組織部分１２の表面に対して隣接するのに適した隣接部分１８と、第１および第２の組織部分１２、１４に対して隣接部分１８に向かい合って置かれるのに適したロック部分２０と、を含む。ロック部分２０および隣接部分１８は、近づけられる第１および第２の組織部分を通って互いに接続可能であり、それら組織部分を接続された状態に保つ。吻合装置１０は、少なくとも１つのガイドワイヤＡ，Ｂを含むガイド手段に接続されるのに適している。【選択図】図３０
2009523475.tif 000002
【特許請求の範囲】
【請求項１】
吻合を形成するよう意図された第１の組織部分（１２）および第２の組織部分（１４）を近づけ、近接した状態に保つのに適した、吻合装置（１０）において、
前記第１の組織部分（１２）の表面に対して隣接するのに適した、隣接部分（１８）と、
前記第１の組織部分（１２）および前記第２の組織部分（１４）に対して前記隣接部分（１８）の反対側に置かれるのに適した、ロック部分（２０）と、
を含み、
前記ロック部分（２０）および前記隣接部分（１８）は、近づけられた前記第１の組織部分（１２）および前記第２の組織部分（１４）を互いに近接した状態に保つように、前記第１の組織部分（１２）および前記第２の組織部分（１４）を通して互いに接続可能であり、
前記隣接部分（１８）および前記ロック部分（２０）のうち少なくとも一方は、前記第１の組織部分（１２）または前記第２の組織部分（１４）に到達するように、少なくとも１つのガイドワイヤ（Ａ，Ｂ）を含むガイド手段に接続されるのに適している、吻合装置。
【請求項２】
請求項１に記載の吻合装置（１０）において、
前記隣接部分（１８）は、少なくとも２つのガイドワイヤ（Ａ，Ｂ）上で、ある方向にロックされるのに適しており、前記少なくとも２つのガイドワイヤ（Ａ，Ｂ）により、前記隣接部分（１８）は、前記第１の組織部分（１２）に到達するまで引っ張られ、
前記ガイドワイヤは、反対の方向に引っ込められることができる、吻合装置。
【請求項３】
請求項２に記載の吻合装置（１０）において、
前記隣接部分（１８）は、同じ前記吻合装置の対向する２つの側部に位置する少なくとも２つのガイドワイヤ（Ａ，Ｂ）上で、ある方向にロックされるのに適している、吻合装置。
【請求項４】
請求項２または３に記載の吻合装置（１０）において、
前記隣接部分（１８）は、ロック部材（６１）により前記少なくとも２つのガイドワイヤ（Ａ，Ｂ）上で、ある方向にロックされるのに適しており、
前記ロック部材（６１）は、ガイドワイヤにそれぞれ一体にされており、前記ガイドワイヤ上での前記隣接部分（１８）の前記方向に沿ったスライドに対する障害物を定めるのに適している、吻合装置。
【請求項５】
請求項２〜４のいずれか１項に記載の吻合装置（１０）において、
前記隣接部分（１８）は、それぞれガイドワイヤ（Ａ，Ｂ）を受容するのに適した少なくとも２つのチャネル（３４）を含む、吻合装置。
【請求項６】
請求項５に記載の吻合装置（１０）において、
前記チャネル（３４）は、前記吻合装置（１０）の対向する側部に位置する、吻合装置。
【請求項７】
請求項５または６に記載の吻合装置（１０）において、
前記チャネル（３４）は、前記隣接部分（１８）を通る、吻合装置。
【請求項８】
請求項２〜７のいずれか１項に記載の吻合装置（１０）において、
前記ロック部分（２０）は、前記少なくとも２つのガイドワイヤ（Ａ，Ｂ）に沿ってスライドするのに適しており、前記ガイドワイヤ（Ａ，Ｂ）に沿って前記ロック部分（２０）を付勢する位置付け装置（４８）との相互作用部分を有する、吻合装置。
【請求項９】
請求項１に記載の吻合装置（１０）において、
前記少なくとも１つのガイドワイヤ（Ａ，Ｂ）は、前記隣接部分（１８）と前記ロック部分（２０）との間の接続部材において、前記隣接部分（１８）および前記ロック部分（２０）を通過する、吻合装置。
【請求項１０】
請求項１〜９のいずれか１項に記載の吻合装置（１０）において、
少なくとも１つのピン（２２）が、前記隣接部分（１８）から延び、
前記少なくとも１つのピン（２２）は、前記ロック部分のそれぞれのハウジング（２４）に挿入されることにより前記ロック部分（２０）に連結するように、前記第１の組織部分（１２）および前記第２の組織部分（１４）を通過するのに適している、吻合装置。
【請求項１１】
請求項１０に記載の吻合装置（１０）において、
前記少なくとも１つのピン（２２）は、前記隣接部分（１８）に可動式に据えられる、吻合装置。
【請求項１２】
請求項１１に記載の吻合装置（１０）において、
前記少なくとも１つのピン（２２）は、前記隣接部分（１８）にネジで取り付けられる、吻合装置。
【請求項１３】
請求項１０〜１２のいずれか１項に記載の吻合装置（１０）において、
前記少なくとも１つのピン（２２）は、その中にチャネル（３４）を定め、前記チャネル（３４）は、ガイドワイヤ（Ａ，Ｂ）を受容するのに適しており、
前記ロック部分（２０）の前記それぞれのハウジング（２４）は、前記ガイドワイヤ（Ａ，Ｂ）を収容するのに適している、吻合装置。
【請求項１４】
請求項１０〜１３のいずれか１項に記載の吻合装置（１０）において、
前記ロック部分（２０）のそれぞれのハウジング（２４）に挿入されることにより、前記ロック部分（２０）と連結するように、前記隣接部分（１８）から延びる、少なくとも２つのピン（２２）、
を含み、
前記少なくとも２つのピン（２２）のそれぞれは、その中にそれぞれのチャネル（３４）を定め、前記チャネル（３４）は、ガイドワイヤ（Ａ，Ｂ）を受容するのに適している、吻合装置。
【請求項１５】
請求項１０〜１４のいずれか１項に記載の吻合装置（１０）において、
ピン（２２）は、前記ロック部分（２０）の前記それぞれのハウジング（２４）に結合された弾性タブ（２８）とのスナップ式嵌合部を定めるのに適した、少なくとも１つの成形部分（２６）を呈し、
前記弾性タブは、前記ハウジング（２４）を延ばすために、前記隣接部分（１８）から離れて前記ピン（２２）の方向に延びる、吻合装置。
【請求項１６】
請求項１５に記載の吻合装置（１０）において、
前記弾性タブ（２８）は、前記それぞれのハウジング（２４）の周縁部に沿って分配されており、前記ピン（２２）の挿入の方向および向きに延びる、吻合装置。
【請求項１７】
請求項１〜１６のいずれか１項に記載の吻合装置（１０）において、
前記ロック部分（２０）は、前記吻合を形成するよう意図された領域にアクセスするための開口部（３６）を有する、吻合装置。
【請求項１８】
請求項１７に記載の吻合装置（１０）において、
前記ロック部分（２０）は、本質的に環状である、吻合装置。
【請求項１９】
請求項１７または１８に記載の吻合装置（１０）において、
前記ロック部分（２０）は、前記隣接部分（１８）のそれぞれのピン（２２）を収容するために２つのハウジング（２４）を含み、
前記ハウジングは、前記開口部（３６）の向かい側に位置する、吻合装置。
【請求項２０】
請求項１７〜１９のいずれか１項に記載の吻合装置（１０）において、
前記隣接部分（１８）は、前記吻合を形成するよう意図された前記領域にアクセスするための開口部（３８）であって、前記ロック部分（２０）の前記開口部（３６）に対応する、開口部（３８）を有する、吻合装置。
【請求項２１】
請求項２０に記載の吻合装置（１０）において、
前記隣接部分（１８）は、本質的に環状である、吻合装置。
【請求項２２】
請求項２０または２１に記載の吻合装置（１０）において、
前記隣接部分（１８）は、前記ロック部分（２０）のそれぞれのハウジング（２４）に挿入されるのに適した、２つのピン（２２）を含み、
前記ピンは、前記開口部（３８）の向かい側に位置する、吻合装置。
【請求項２３】
請求項１〜２２のいずれか１項に記載の吻合装置（１０）において、
前記ロック部分（２０）は、近づけられるべき前記第２の組織部分（１４）の表面に対して隣接するのに適した、粗い接触面（４０）を有する、吻合装置。
【請求項２４】
請求項１〜２３のいずれか１項に記載の吻合装置（１０）において、
前記ロック部分（２０）は、近づけられるべき前記第２の組織部分（１４）の表面に対して隣接するのに適した、接触面（４０）を有し、
前記接触面（４０）は、先の尖った部材（４２）を含む、吻合装置。
【請求項２５】
請求項１〜２４のいずれか１項に記載の吻合装置（１０）において、
前記ロック部分（２０）は、近づけられるべき前記第２の組織部分（１４）の表面に対して隣接するのに適した、接触面（４０）を有し、
前記接触面（４０）は、環状溝部（４３ａ）を含む、吻合装置。
【請求項２６】
請求項１〜２５のいずれか１項に記載の吻合装置（１０）において、
前記ロック部分（２０）は、近づけられるべき前記第２の組織部分（１４）の表面に対して隣接するのに適した、接触面（４０）を有し、
前記接触面（４０）は、例えば粒状で公表されている材料で作られた層（４３ｂ）を含む、吻合装置。
【請求項２７】
請求項１〜２６のいずれか１項に記載の吻合装置（１０）において、
前記隣接部分（１８）は、近づけられるべき前記第１の組織部分（１２）の表面に対して隣接するのに適した、粗い接触面（４４）を有する、吻合装置。
【請求項２８】
請求項１〜２７のいずれか１項に記載の吻合装置（１０）において、
前記隣接部分（１８）は、近づけられるべき前記第１の組織部分（１２）の表面に対して隣接するのに適した、接触面（４４）を有し、
前記接触面は、先の尖った部材（４６）を含む、吻合装置。
【請求項２９】
請求項１〜２８のいずれか１項に記載の吻合装置（１０）において、
前記隣接部分（１８）は、近づけられるべき前記第１の組織部分（１２）の表面に対して隣接するのに適した、接触面（４４）を有し、
前記接触面は、環状溝部（４３ａ）を含む、吻合装置。
【請求項３０】
請求項１〜２９のいずれか１項に記載の吻合装置（１０）において、
前記隣接部分（１８）は、近づけられるべき前記第１の組織部分（１２）の表面に対して隣接するのに適した、接触面（４４）を呈し、
前記接触面は、例えば粒状で公表されている材料で作られた層（４３ｂ）を含む、吻合装置。
【請求項３１】
請求項１〜３０のいずれか１項に記載の吻合装置（１０）において、
非生体吸収性材料で一体的に作られている、吻合装置。
【請求項３２】
請求項１〜３０のいずれか１項に記載の吻合装置（１０）において、
生体分解性材料または生体適合性材料で一体的に作られている、吻合装置。
【請求項３３】
請求項１〜３０のいずれか１項に記載の吻合装置（１０）において、
前記隣接部分と前記ロック部分との間の接続部材において、部分的に生体分解性材料または生体適合性材料で作られている、吻合装置。
【請求項３４】
吻合を形成するよう意図された第１の組織部分（１２）および第２の組織部分（１４）を近づけて、互いに近接した状態に保つためのキットにおいて、
請求項１〜３３のいずれか１項に記載の吻合装置（１０）と、
前記吻合装置（１０）の少なくとも１つの部分を配備するための位置付け装置（４８）と、
を含み、
前記位置付け装置（４８）は、少なくとも１つのガイドワイヤ（Ａ，Ｂ）を含むガイド手段に沿ってスライドするのに適しており、細長い構造体（５０）を含む、キット。
【請求項３５】
請求項３４に記載のキットにおいて、
前記位置付け装置（４８）は、前記細長い構造体の遠位端部に衝突して挿入されるのに適したヘッド（５２）を含み、
前記ヘッド（５２）は、前記吻合装置（１０）の前記少なくとも１つの部分に対して隣接するのに適している、キット。
【請求項３６】
請求項３５に記載のキットにおいて、
前記ヘッド（５２）は、前記ヘッド（５２）の近位端部から延びる、弾性タブ（５４）を含む、キット。
【請求項３７】
請求項３５または３６に記載のキットにおいて、
前記位置付け装置（４８）は、少なくとも２つのガイドワイヤ（Ａ，Ｂ）を含むガイド手段に沿ってスライドするのに適しており、
前記ヘッド（５２）は、それぞれガイドワイヤ（Ａ，Ｂ）を受容するのに適した、少なくとも２つのチャネル（５６）を含む、キット。
【請求項３８】
請求項３５〜３７のいずれか１項に記載のキットにおいて、
前記ヘッド（５２）は、前記吻合装置（１０）の前記少なくとも１つの部分のための推力面（５８）を定める遠位端部を含む、キット。
【請求項３９】
請求項３８に記載のキットにおいて、
前記位置付け装置（４８）は、前記吻合装置（１０）のロック部分（２０）を配備するのに適しており、かつ、前記ロック部分（２０）を前記第１の組織部分および前記第２の組織部分（１４）の反対側に位置する前記吻合装置（１０）の隣接部分（１８）に対してスナップ式に嵌めるように、前記ロック部分（２０）に付勢を及ぼすのに適している、キット。
【請求項４０】
請求項３８または３９に記載のキットにおいて、
前記遠位端部は、前記ロック部分（２０）のそれぞれのハウジング（２４）に結合された弾性タブ（２８）を受容するための少なくとも１つの開口部（６０）を含み、
前記弾性タブは、前記ハウジング（２４）を延ばすために、前記隣接部分（１８）から離れて前記隣接部分（１８）のピン（２２）の方向に延び、
前記ハウジング（２４）は、ガイドワイヤ（Ａ，Ｂ）を受容するのに適している、キット。
【請求項４１】
請求項３４〜３９のいずれか１項に記載のキットにおいて、
前記細長い構造体（５０）は、例えば胃鏡の類の、可視化装置である、キット。
【請求項４２】
吻合（１６）を形成するよう意図された第１の組織部分（１２）および第２の組織部分（１４）を近づけるのに適した吻合装置（１０）において、
近づけられるべき前記第１の組織部分（１２）の表面に対して隣接するのに適した、隣接部分（１８）、
を含み、
前記隣接部分（１８）は、前記第１の組織部分（１２）に到達するように、少なくとも２つのガイドワイヤ（Ａ，Ｂ）を含むガイド手段に接続されるのに適している、吻合装置。
【請求項４３】
請求項４２に記載の吻合装置（１０）において、
前記隣接部分（１８）は、前記少なくとも２つのガイドワイヤ（Ａ，Ｂ）上で、ある方向にロックされるのに適しており、前記少なくとも２つのガイドワイヤ（Ａ，Ｂ）により、前記隣接部分（１８）は、前記第１の組織部分（１２）に到達するまで引っ張られ、
前記ガイドワイヤは、反対の方向に引っ込められることができる、吻合装置。
【請求項４４】
請求項４３に記載の吻合装置（１０）において、
前記隣接部分（１８）は、同じ前記吻合装置の対向する２つの側部に位置する前記少なくとも２つのガイドワイヤ（Ａ，Ｂ）上で、ある方向にロックされるのに適している、吻合装置。
【請求項４５】
請求項４３または４４に記載の吻合装置（１０）において、
前記隣接部分（１８）は、ロック部材（６１）により、前記少なくとも２つのガイドワイヤ（Ａ，Ｂ）上で、ある方向にロックされるのに適しており、
前記ロック部材（６１）は、前記ガイドワイヤとそれぞれ一体にされており、前記ガイドワイヤ上で前記隣接部分（１８）が前記方向に沿ってスライド運動することに対する障害物を定めるのに適している、吻合装置。
【請求項４６】
請求項４２〜４５のいずれか１項に記載の吻合装置（１０）において、
前記隣接部分（１８）は、近づけられるべき前記第１の組織部分（１２）の表面に対して隣接するのに適した、粗い接触面（４４）を有する、吻合装置。
【請求項４７】
請求項４２〜４６のいずれか１項に記載の吻合装置（１０）において、
前記隣接部分（１８）は、近づけられるべき前記第１の組織部分（１２）の表面に対して隣接するのに適した、接触面（４４）を有し、
前記接触面（４４）は、先の尖った部材（４６）を含む、吻合装置。
【請求項４８】
請求項４２〜４６のいずれか１項に記載の吻合装置（１０）において、
前記隣接部分（１８）は、近づけられるべき前記第１の組織部分（１２）の表面に対して隣接するのに適した、接触面（４４）を有し、
前記接触面（４４）は、環状溝部（４３ａ）を含む、吻合装置。
【請求項４９】
請求項４２〜４６のいずれか１項に記載の吻合装置（１０）において、
前記隣接部分（１８）は、近づけられるべき前記第１の組織部分（１２）の表面に対して隣接するのに適した、接触面（４４）を有し、
前記接触面（４４）は、例えば粒状で公表されている材料で作られた層（４３ｂ）を含む、吻合装置。
【請求項５０】
請求項４２〜４９のいずれか１項に記載の吻合装置（１０）において、
前記隣接部分（１８）は、それぞれガイドワイヤ（Ａ，Ｂ）を受容するのに適した、少なくとも２つのチャネル（３４）を含む、吻合装置。
【請求項５１】
請求項５０に記載の吻合装置（１０）において、
前記チャネル（３４）は、前記吻合装置（１０）の対向する側部に位置する、吻合装置。
【請求項５２】
請求項５０または５１に記載の吻合装置（１０）において、
前記チャネル（３４）は、前記隣接部分（１８）を通る、吻合装置。
【請求項５３】
請求項４２〜５２のいずれか１項に記載の吻合装置（１０）において、
前記隣接部分（１８）は、前記少なくとも２つのガイドワイヤ（Ａ，Ｂ）の間に位置する開口部（３８）を有する、吻合装置。
【請求項５４】
請求項５２に記載の吻合装置（１０）において、
前記隣接部分（１８）は、本質的に環状である、吻合装置。
【請求項５５】
請求項４２〜５４のいずれか１項に記載の吻合装置（１０）において、
前記隣接部分（１８）は、前記吻合装置（１０）のロック部分（２０）と連結するのに適しており、
前記ロック部分（２０）は、近づけられる２つの前記組織部分を互いに接続された状態に保つために、前記第１の組織部分（１２）および前記第２の組織部分（１４）に対して、前記隣接部分（１８）の反対側に置かれるのに適している、吻合装置。
【請求項５６】
請求項５５に記載の吻合装置（１０）において、
前記ロック部分（２０）は、前記少なくとも２つのガイドワイヤ（Ａ，Ｂ）に沿ってスライドするのに適しており、前記ガイドワイヤ（Ａ，Ｂ）に沿って前記ロック部分（２０）を付勢する位置付け装置（４８）との相互作用部分を有する、吻合装置。
【請求項５７】
請求項５６に記載の吻合装置（１０）において、
前記少なくとも２つのガイドワイヤ（Ａ，Ｂ）は、前記隣接部分（１８）と前記ロック部分（２０）との間の接続部材において、前記隣接部分（１８）および前記ロック部分（２０）を通過する、吻合装置。
【請求項５８】
請求項５６または５７に記載の吻合装置（１０）において、
少なくとも１つのピン（２２）が、前記隣接部分（１８）から延び、
前記少なくとも１つのピン（２２）は、前記ロック部分（２０）のそれぞれのハウジング（２４）に挿入されることにより前記ロック部分（２０）に連結するように、前記第１の組織部分（１２）および前記第２の組織部分（１４）を通過するのに適している、吻合装置。
【請求項５９】
請求項５８に記載の吻合装置（１０）において、
前記少なくとも１つのピン（２２）は、前記隣接部分（１８）に可動式に据えられる、吻合装置。
【請求項６０】
請求項５９に記載の吻合装置（１０）において、
前記少なくとも１つのピン（２２）は、前記隣接部分（１８）にネジで取り付けられる、吻合装置。
【請求項６１】
請求項５８〜６０のいずれか１項に記載の吻合装置（１０）において、
前記少なくとも１つのピン（２２）は、ガイドワイヤ（Ａ，Ｂ）を受容するのに適したチャネル（３４）をその中に定め、
前記ロック部分（２０）の前記それぞれのハウジング（２４）は、前記ガイドワイヤ（Ａ，Ｂ）を収容するのに適している、吻合装置。
【請求項６２】
請求項６１に記載の吻合装置（１０）において、
少なくとも２つのピン（２２）が、前記ロック部分（２０）の前記それぞれのハウジング（２４）に挿入されることにより、前記ロック部分（２０）と連結するように、前記隣接部分（１８）から延び、
前記少なくとも２つのピン（２２）のそれぞれは、その中にチャネル（３４）を定め、前記チャネル（３４）は、前記少なくとも２つのガイドワイヤ（Ａ，Ｂ）のうち１つを受容するのに適している、吻合装置。
【請求項６３】
請求項５１〜５８のいずれか１項に記載の吻合装置（１０）において、
前記少なくとも１つのピン（２２）は、前記ロック部分（２０）の前記それぞれのハウジング（２４）に結合された弾性タブ（２８）とのスナップ式嵌合部を定めるのに適した、少なくとも１つの成形部分（２６）を有し、
前記弾性タブは、前記ハウジング（２４）を延ばすために、前記隣接部分（１８）から離れて前記ピン（２２）の方向に延びる、吻合装置。
【請求項６４】
請求項５５〜６３のいずれか１項に記載の吻合装置（１０）において、
前記ロック部分（２０）は、吻合を形成するよう意図された領域にアクセスするための開口部（３６）を有する、吻合装置。
【請求項６５】
請求項６４に記載の吻合装置（１０）において、
前記ロック部分（２０）は、本質的に環状である、吻合装置。
【請求項６６】
請求項６４または６５に記載の吻合装置（１０）において、
前記隣接部分（１８）は、前記吻合を形成するよう意図された前記領域にアクセスするために前記２つのガイドワイヤ（Ａ，Ｂ）間に位置する開口部（３８）であって、前記ロック部分（２０）の前記開口部（３６）に対応する、開口部（３８）を有する、吻合装置。
【請求項６７】
請求項６６に記載の吻合装置（１０）において、
前記隣接部分（１８）は、本質的に環状である、吻合装置。
【請求項６８】
請求項５５〜６７のいずれか１項に記載の吻合装置（１０）において、
前記ロック部分（２０）は、近づけられるべき前記第２の組織部分（１４）の表面に対して隣接するのに適した、粗い接触面（４０）を有する、吻合装置。
【請求項６９】
請求項５５〜６７のいずれか１項に記載の吻合装置（１０）において、
前記ロック部分（２０）は、近づけられるべき前記第２の組織部分（１４）の表面に対して隣接するのに適した、接触面（４０）を有し、
前記接触面（４０）は、先の尖った部材（４２）を含む、吻合装置。
【請求項７０】
請求項５５〜６７のいずれか１項に記載の吻合装置（１０）において、
前記ロック部分（２０）は、近づけられるべき前記第２の組織部分（１４）の表面に対して隣接するのに適した、接触面（４０）を有し、
前記接触面（４０）は、環状溝部（４３ａ）を含む、吻合装置。
【請求項７１】
請求項５５〜６７のいずれか１項に記載の吻合装置（１０）において、
前記ロック部分（２０）は、近づけられるべき前記第２の組織部分（１４）の表面に対して隣接するのに適した、接触面（４０）を有し、
前記接触面（４０）は、例えば粒状で公表されている材料で作られた層（４３ｂ）を含む、吻合装置。
【請求項７２】
請求項４２〜７１のいずれか１項に記載の吻合装置（１０）において、
非生体吸収性材料で一体的に作られている、吻合装置。
【請求項７３】
請求項４２〜７１のいずれか１項に記載の吻合装置（１０）において、
生体分解性材料または生体適合性材料で一体的に作られている、吻合装置。
【請求項７４】
請求項４２〜７１のいずれか１項に記載の吻合装置（１０）において、
前記隣接部分（１８）と前記ロック部分（２０）との間の接続部材において、部分的に生体分解性材料または生体適合性材料で作られている、吻合装置。
【請求項７５】
消化管の管吻合を行うための方法において、
近位端部（Ａ’、Ｂ’）と遠位端部（Ａ”，Ｂ”）との間に延在し、前記吻合が行われなければならない第１の組織部分（１２）および第２の組織部分（１４）を通過する少なくとも１つのガイドワイヤ（Ａ，Ｂ）を含むガイド手段を、自然のオリフィスまたは他の管腔構造体を通して導入するステップと、
前記第１の組織部分（１２）および前記第２の組織部分（１４）を引き合わせることにより、前記２つのガイドワイヤ（Ａ，Ｂ）に沿って吻合装置（請求項１〜３３のいずれか１項に記載の吻合装置（１０））を挿入して吻合部位まで引っ張り、吻合を行うステップと、
を含む、方法。
【発明の詳細な説明】
【開示の内容】
【０００１】
本発明は、概して、消化管の管吻合（anastomoses in tracts of the digestive tube）を行うための方法に用いるための装置に関する。特に、これらの装置は、たとえ部分的にもしくは全面的に腹腔鏡的な技術で、または従来の外科技術で使用されることができても、腔内で吻合を行うのに適している。
【０００２】
第１の態様によると、本発明の目的は、吻合を形成するよう意図される第１の組織部分および第２の組織部分を近づけ、場合によってはそれらを互いに近接した状態に保つのに適した、吻合装置である。前述の吻合装置は、部分的にもしくは全面的に腹腔鏡的な技術で、または従来の外科技術でその使用が可能であっても、腔内で適用されるのに特に適している。
【０００３】
さらなる態様によると、本発明は、吻合を形成するよう意図される第１の組織部分および第２の組織部分を近づけ、互いに近接した状態に保つのに適した吻合装置の少なくとも１つの部分を配備するために位置付け装置をさらに含む、キットに関する。この装置もまた、部分的にもしくは全面的に腹腔鏡的な技術で、または従来の外科技術でその使用が可能であっても、腔内で使用されるのに特に適している。
【０００４】
既知の装置は、きわめて侵襲的であり、非常に複雑で扱いにくい位置付け装置の使用を必要とする。さらに、既知の装置では、腔内のアプローチ、または少なくとも部分的に腔内のアプローチができない。
【０００５】
既知のように、腔内アプローチは、従来の外科方法または腹腔鏡的方法の欠点をかなり最小化する。特に、腔内アプローチは、処置の侵襲性を最小限に抑えることを可能にし、ゆえに、患者へのリスクを軽減し、術後の治療クールを短くする。
【０００６】
消化管の管吻合を行うために腔内アプローチを用いることは、特にこの目的に適した器具が不足しているために、現在は極めて困難である。したがって、例えば胃‐腸バイパス術を行うための、消化管の管吻合は、依然として従来の外科技術もしくは腹腔鏡的技術により行われている。
【０００７】
本発明の中心にある課題は、消化管の管吻合を行うための方法に用いるための装置であって、先行技術に関して言及した欠点を解決することができる、装置を提案することである。
【０００８】
本発明の中心にあるさらなる課題は、消化管の管吻合を行うための方法に使用可能な装置であって、腔内での使用に特に適しており、ゆえに、この技術の利用分野を広げる、増大するニーズに応えることを可能にすると共に、部分的にもしくは全面的に腹腔鏡的な技術で、または従来の外科技術で用いることにも適した、装置を提案することである。
【０００９】
この課題は、請求項１または請求項４２に記載の吻合装置により解決される。
【００１０】
本発明による装置のさらなる特徴および利点は、添付された図面を参照して、本明細書で以下に記載される、非限定的な例示として与えられる好適かつ例証となる実施形態の説明から理解されるであろう。
【００１１】
図３０を参照すると、吻合装置は概して符号１０により示されている。図１８〜図２８、図３３、および図３４は、吻合装置１０またはその異なる実施形態の可能な適用を例示している。
【００１２】
第１の実施形態によると、本発明による吻合装置は、吻合１６を形成するよう意図された第１の組織部分１２および第２の組織部分１４を近づけ、それら組織部分を互いに近接した状態に保つのに適している。さらに詳細には、吻合装置１０は、消化器官の管で吻合を行うための、好ましくは腔内での、方法に用いられるのに適している。しかしながら、部分的にもしくは全面的に腹腔鏡的な技術または従来の外科技術でその吻合装置を使用することが、オプションとして可能である。
【００１３】
図３０は、吻合装置１０の好適な実施形態の分解組立図を示しており、隣接部分（abutment portion）が符号１８で示されており、ロック部分が符号２０で示されている。特に胃‐空腸吻合（Ｇ−Ｊ）を行うための方法、または同様の方法における吻合装置１０の適用に関して、隣接部分１８は、腸部分（intestinal portion）として定められてもよく、一方ロック部分２０は、胃部分（gastric portion）として定められてもよい。
【００１４】
隣接部分１８は、第１の組織部分１２の表面に対して隣接するのに適しており、一方ロック部分２０は、第１の組織部分１２に対して、かつ第２の組織部分１４に対して隣接部分１８に向かい合って配列されるように構成される。
【００１５】
本発明の一般的実施形態によると、ロック部分２０および隣接部分１８は、引き合わせられる第１および第２の組織部分を互いに結合された状態に保つために、これら第１および第２の組織部分によって互いに接続可能または連結可能である。より詳細には、ロック部分２０および隣接部分１８は、第１および第２の組織部分の異なる圧縮度に対応する少なくとも２つのロック位置で、互いにロックされるのに適している。
【００１６】
好適な実施形態によると、隣接部分１８は、第１の組織部分１２および第２の組織部分１４を通過するのに適した、少なくとも１つのピン２２であって、ロック部分２０に嵌め込まれるようロック部分２０のハウジング２４に嵌め込まれるための、少なくとも１つのピン２２を含む。好ましくは、このピンは、ロック部分２０のハウジング２４にスナップ式に嵌め込まれ、このハウジング２４内でロックするように構成されている。スナップ式の嵌合は、例えば、ロック部分２０のそれぞれのハウジング２４に結合した弾性タブ２８とのスナップ式接続部を定めるのに適した少なくとも１つの成形部分２６を備えた、ピン２２により行われる。好ましくは、弾性タブ２８は、ハウジング２４を延ばすために、隣接部分１８から離れて各ピン２２の方向に延びている。
【００１７】
図３０に示されるような好適な実施形態では、成形部分２６は、一連の環状リブ３０により設けられる。さらに、ピン２２の自由端は、スナップ式嵌合を促進するように成形され、例えば外側に向かってテーパ状になるか、または切頭円錐型（frusto-conical）の端部３２を提供する。さらに、弾性タブ２８は、それぞれのハウジング２４の周縁部に沿って分配されており、ピン２２の挿入の方向および向きに延びる。
【００１８】
好適な実施形態によると、ピン２２は、隣接部分１８に可動式に据えられ、好ましくはネジで取り付けられている。
【００１９】
好適な実施形態によると、ピン２２は、本明細書で以下に説明するように、ガイドワイヤを受容するように構成されることが好ましい、両側で開口したチャネル３４を内部に定める。この実施形態によると、それぞれのハウジング２４も、チャネル３４を通過するガイドワイヤを受容するように構成されている。
【００２０】
本発明の好適な実施形態を例示している添付の図面、特に図３０を参照すると、吻合装置１０は、前述のとおり、２つのピン２２を含む。このピン２２は、隣接部分１８から延びており、ロック部分のそれぞれのハウジング２４に嵌め込まれるように構成されている。好ましくは、ピンは、隣接部分１８の対向する領域または側部に位置し、同様に、ピンを受容するように構成されたハウジングは、ロック部分２０の対向する領域または側部に位置する。図面に示されるように、２つのピンが設けられる場合、各ピンが、対応するガイドワイヤを受容するように構成されたチャネル３４を内部に定めることが特に有利である。
【００２１】
オプションとして、前述のように、２つ以上のピンが設けられてもよい。ピンの数がガイドワイヤの数に対応する場合、各ピンは、対応するガイドワイヤを内部に受容するためにチャネル３４を定める。
【００２２】
可能な実施形態によると、ロック部分２０は、吻合を形成するよう意図された領域にアクセスするための開口部３６を提供する。２つのハウジング２４が設けられる場合、これらのハウジングは、開口部３６の対向する部分または側部に位置する。好ましくは、ロック部分２０は、本質的に環状である。
【００２３】
同様に、隣接部分１８は、吻合を形成するよう意図された領域にアクセスするための開口部３８であって、ロック部分の開口部３６に対応する、開口部３８を提供する。２つのピン２２が設けられる場合、これらのピンは、開口部３８の対向する部分または側部に位置するのが好ましい。隣接部分１８も本質的には環状であるのが好ましい。
【００２４】
近くに引っ張られるべき第２の組織部分１４の表面に対して隣接するのに適したロック部分２０の接触面は、符号４０により示されている。この接触面は、弾性タブ２８を有する場合、この弾性タブ２８の配備部の反対側の表面である。好適な実施形態によると、接触面４０は粗い（rough）か、または接触面４０は、先が尖った部材４２を提供する（図３３および図３４）。オプションとして、環状溝部４３ａが設けられてもよく（図３７）、あるいは、例えば粒状の形態で公表されている材料で作られた層４３ｂにより、粗さが与えられうる（図３８）。
【００２５】
可能な実施形態によると、近くに引っ張られるべき第１の組織部分１２の表面に対して隣接するのに適した隣接部分１８の接触面は、符号４４により示されている。少なくとも１つのピンが設けられる場合、この接触面は、少なくとも１つのピン２２と同じ側に位置する表面である。好適な実施形態によると、接触面４４は粗いか、または接触面４４は、先が尖った部材４６を提供する（図３４）。オプションとして、環状溝部４３ａが設けられてもよく（図３７）、あるいは、例えば粒状の形態で公表されている材料で作られた層４３ｂにより、粗さが与えられうる（図３８）。
【００２６】
一般的に言えば、また本発明の第１の態様によると、吻合装置１０は、吻合を形成するよう意図された第１の組織部分および第２の組織部分を近づけ、かつ互いに近接した状態に保つのに適した装置であり、この装置は、以下に説明するように、ガイド手段、例えばガイドワイヤ、または好ましくは少なくとも２つのガイドワイヤに接続されて、組織部分に到達することができる。
【００２７】
特に、隣接部分１８およびロック部分２０のうち少なくとも一方は、第１または第２の組織部分に到達するために、少なくとも１つのガイドワイヤを含むガイド手段に接続されるのに適している。
【００２８】
特に添付の図面を参照すると、隣接部分１８は、ガイド手段、例えば吻合装置の対向する２つの側部に位置するのが好ましいガイドワイヤＡおよびＢの上で、ある方向にロックされるのに適しており、このガイドワイヤにより、隣接部分１８は、第１の組織部分１２に到達するまで引かれる。言い換えれば、隣接部分１８とガイドワイヤとの間の拘束（constraint）により、隣接部分１８を第１の組織部分まで引っ張ること、および２つの組織部分を引き合わせるために隣接部分１８を使用することが可能になり、ゆえに、ガイドワイヤは反対の方向に引っ込められることができる。
【００２９】
可能な実施形態によると、隣接部分１８は、例えばガイドワイヤにそれぞれ一体にされたロック部材６１であって、隣接部分１８がガイドワイヤ上である方向にスライド運動することに対する障害物を定めるのに適している、ロック部材６１によって、ガイドワイヤＡ，Ｂの上でロックされるのに適している（図１７）。
【００３０】
有利な実施形態によると、隣接部分１８は、ガイドワイヤを受容するように構成された少なくとも１つのチャネルを含む。２つのガイドワイヤが設けられる場合、有利には、吻合装置の対向する側部に位置する２つのチャネルが設けられる。さらに、有利には、そのチャネルが隣接部分１８を通過するようになされる。
【００３１】
可能な実施形態によると、ガイド手段は、隣接部分１８とロック部分２０との間の接続部材において、隣接部分１８およびロック部分２０を通過する。ロック部分２０に接続するために吻合装置１０が少なくとも１つのピンを含む、前述の好適な実施形態によると、有利には、このピン２２が、ガイドワイヤを受容するように構成されたチャネル３４を定めるようになされる。特に、吻合装置１０がロック部分に接続されるべき少なくとも２つのピン２２を含む、さらに好適な実施形態によると、２つのピン２２が、それぞれガイドワイヤを受容するように構成されたチャネル３４を定めるように、有利になされる。
【００３２】
好適な実施形態によると、ロック部分２０は、ガイド手段に沿ってスライドするように構成されており、位置付け装置４８との相互作用部分を提供する。この位置付け装置４８は、ガイド手段に沿ってこのロック部分２０を付勢する。有利なことに、位置付け装置４８も、ガイド手段（１つ以上のガイドワイヤ）に沿ってスライドするように構成されており、細長い構造体５０を含む。例示された例では、細長い構造体５０は、例えば胃鏡の類の、可視化装置の中にある。
【００３３】
可視化装置の場合に特に有利である、可能な実施形態によると、位置付け装置４８は、細長い構造体５０（可視化装置）の遠位端部に締まりばめするのに適したヘッド５２を含む。可能な実施形態によると、ヘッド５２は、その同じヘッドの近位端部から延びる弾性タブ５４を含む。
【００３４】
ある実施形態によると、ヘッド５２は、ガイドワイヤを受容するのに適した少なくとも１つのチャネル５６を含む。ガイド手段が２つ以上のガイドワイヤを含む場合、ヘッド５２は、それぞれガイドワイヤを受容するのに適した、少なくとも２つのチャネル５６を含む。
【００３５】
さらに、ヘッド５２は、ロック部分２０ための推力面（thrust surface）５８を定める遠位端部を含む。ロック部分２０が、ガイドワイヤを受容するためのハウジング２４、および隣接部分１８にスナップ式にロックするための弾性タブ２８を含む場合、ヘッド５２の遠位端部は、少なくとも１つの開口部６０を含み、ロック部分の弾性タブを受容する。図面に例示された例では、ロック部分の２つのハウジング、およびヘッド５２の２つの相対的な開口部（two relative openings）６０が設けられている。
【００３６】
前記に例示されたものに対する可能な変形体によると、ヘッド５２は、あらゆる種類の細長い構造体に適用されうる。
【００３７】
前記に説明され例示されたものに対する変形および／または追加が行われうることは明らかである。
【００３８】
例えば、ピン２２は、隣接部分１８と共に１つの部品として作られうる。あるいは、これらのピンは、ロック部分２０から延びて、隣接部分１８のハウジングに嵌め込まれることができる。
【００３９】
吻合装置１０は、外科的応用に適した任意の種類の材料で作られてよい。前述したことに加えて、組織部分を近づけること、およびこれらの組織部分を互いに近接した状態に保つことの双方に適した吻合装置１０の場合は特に、隣接部分およびロック部分双方は、非生体吸収性材料、例えばプラスチックまたは金属材料で作られてよい。この場合、吻合装置は、この吻合装置が取り付けられた組織が壊死すると、外れて自然に離れる。異なる実施形態によると、吻合装置は、固定された位置（steady position）にとどまるようにされることもできる。
【００４０】
あるいは、材料の選択は、生体吸収性材料または生体分解性材料（biofragmentable material）に向けられてもよく、ゆえに、一定期間の後に、吻合装置は完全に吸収される。
【００４１】
最後に、吻合装置１０は、部分的に生体吸収性材料または生体分解性材料で作られてもよい。特に、一定期間の後に、吻合装置が適用された部位から吻合装置が外れて、自然に離れることを可能にするために、生体吸収性材料または生体分解性材料で隣接部分とロック部分との間の接続部材を実現することは有利である。添付の図面に例示される事例では、有利には、ピン２２および／またはハウジング２４および／または弾性タブ２８が生体吸収性材料または生体分解性材料で作られるようになされる。
【００４２】
吻合１６を形成するよう意図された第１の組織部分１２および第２の組織部分１４を近づけ、これらを互いに近接した状態に保つのに適している、本発明による吻合装置１０は一般的に、近づけられた第１および第２の組織部分を互いに結合された状態に保つために、隣接部分およびロック部分が、これらの組織部分を通って互いに接続可能であるように作られてよい。特に、１つのピン２２が設けられてもよく、オプションとしてガイドワイヤのハウジングチャネルとは異なっていてもよい。さらに、この吻合装置は、１つのガイドワイヤ上、または３つ以上のガイドワイヤの上にも嵌まることができ、かつロック可能であるようになされてよい。
【００４３】
オプションとして、隣接部分１８は、少なくとも１つのガイドワイヤと共に予め組み立てられるか、または少なくとも１つのガイドワイヤと一体であってよい。少なくとも１つのガイドワイヤと隣接部分１８との間の接続は、処置の終了時にガイドワイヤが取り除かれるように、行われうる。
【００４４】
さらなる態様によると、本発明は、吻合を形成するよう意図された第１の組織部分１２および第２の組織部分１４を近づけるのに適した吻合装置１０に関する。このような態様によると、吻合装置は、第１の組織部分に到達するために、少なくとも２つのガイドワイヤに接続されるのに適した、近づけられるべき第１の組織部分１２の表面に対して隣接するのに適した、隣接部分１８を含む。好ましくは、隣接部分１８は、ガイドワイヤ上で、ある方向にロックされるのに適しており、このガイドワイヤによって、隣接部分１８は、第１の組織部分に到達するまで引っ張られる。
【００４５】
隣接部分に関して前述してきたことは、このさらなる態様による吻合装置にも適用可能である。特に、隣接部分は、装置の対向する２つの側部に位置する少なくとも２つのガイドワイヤ上で、ある方向にロックされるのに適しており、前述のように、近くに引き寄せられるべき第１の組織部分１２の表面に対して隣接するのに適した、接触面４４を有することができる。
【００４６】
有利には、隣接部分１８は、ガイドワイヤをそれぞれ受容するのに適している少なくとも２つのチャネル３４であって、吻合装置の対向する側部に位置するのが好ましい、少なくとも２つのチャネル３４を含む。可能な実施形態によると、チャネル３４は、隣接部分１８を通り抜ける。
【００４７】
有利には、隣接部分は、その同じ隣接部分から延びる、少なくとも１つのピン、好ましくは２つのピン２２を含む。少なくとも１つのピン２２は、ガイドワイヤを受容するのに適したチャネル３４を内部に定めるのが好ましい。特に、これらのピン２２は、隣接部分に可動式に据えられ、好ましくはネジで取り付けられている。
【００４８】
可能な実施形態によると、ピン２２は、第１の組織部分１２および第２の組織部分１４を通過するのに適している。
【００４９】
本発明の後者のさらなる態様による装置は、やはり、前述のような吻合装置を実行するのに適している、すなわち、吻合１６を形成するよう意図された第１の組織部分１２および第２の組織部分１４を近づけるだけでなく、互いに近接した状態に保つのに適している。例えば、これらのピン２２（または少なくとも１つのピン）は、前述したように、ロック部分２０と連結するのに適していてもよい。この場合でも、ロック部分２０を位置させるために、前述のような位置付け装置４８を使用することが可能である。
【００５０】
例示された好適な実施形態に従った、かつ本発明の前述の２つの態様に従った、吻合装置の使用方式を以下に説明する。この適用例は、消化管の管吻合を行う方法、特に、例えば図１８〜図２８に例示されたように、腔内で胃‐空腸吻合を行う方法に関連する。空腸‐空腸吻合、一般的には腸‐腸吻合または他の種類の吻合などの、他の適用も可能である。
【００５１】
図１８では、空腸管に相当する腸管および胃を含む、消化器官の一部が例示されている。例えば２つのガイドワイヤを含むガイド手段が、食道など自然のオリフィスを起点として位置しており、第１の組織部分１２および第２の組織部分１４を通過する開放環またはループを形成している。２つのガイドワイヤＡおよびＢは、近位端部Ａ’およびＢ’と遠位端部Ａ”およびＢ”との間に延在している。吻合装置１０の隣接部分１８は、ガイドワイヤの近位端部に嵌まって、例えばロック部材６１により、ある方向にロックされる。このロック部材６１は、それぞれガイドワイヤに一体にされており、ガイドワイヤ上で隣接部分１８が、ある方向へスライドすることに対する障害物を定めるのに適している（図１７）。その代わりに、他のロック手段が設けられてもよく、例えば、吻合装置構造体と一体にされてもよい。オプションとして、隣接部分１８は、ガイドワイヤの遠位端部が引っ張られると、接続されるべき組織部分に対して隣接部分が引っ張られ、かつ近づけられるように、ガイドワイヤに予め接続されるか、または一体である。
【００５２】
隣接部分１８は、その後、ピン２２が第１の組織部分１２に嵌め込まれ、その第１の組織部分１２を通過するまで（図２０）、ガイドワイヤの遠位端部を引っ張ることにより（図１９）、第１の組織部分１２に近づけられる。
【００５３】
接触面４４は、第１の組織部分１２に対して内部で隣接し、したがって、ガイドワイヤの遠位端部に対してさらに牽引が行われることにより、隣接部分１８によって引っ張られる第１の組織部分１２が、第２の組織部分１４と引き合わせられる（図２１）。言い換えれば、図１８〜図２１は、本発明の態様のうちの１つによる吻合装置１０、すなわち、吻合を形成するよう意図された第１の組織部分および第２の組織部分を近づけるのに適した吻合装置の適用を例示している。
【００５４】
吻合装置１０の有利な構造により、２つの組織部分を近づけるためだけでなく、２つの組織部分を互いに近接した状態に保つための装置として使用されることが可能となる。この適用は、図２２〜図２８にさらに例示されており、これらの図面では、好ましくは位置付け装置４８によりガイドワイヤに沿って所定の位置に付勢されている、ロック部分２０の適用が示されている。ロック部分２０は、ハウジング２４によってガイドワイヤの遠位端部Ａ”およびＢ”に嵌まる。その後、ヘッド５２も、チャネル５６によってガイドワイヤの遠位端部に嵌まる。最後に、ヘッド５２は、細長い構造体５０もしくは胃鏡の遠位端部に嵌まる（図２２）。位置付け装置４８は、推力面５８によりロック部分２０と相互に作用し、弾性タブ２８は、対応する開口部６０に嵌め込まれる。
【００５５】
ヘッド５２は、隣接部分１８の反対側、すなわち胃の側で第２の組織部分１４に近づくまでガイドワイヤ上をスライドすることにより所定の位置にロック部分２０を付勢する（図２３および図２４）。
【００５６】
ガイドワイヤに沿って細長い構造体５０を付勢し続けることにより、ピン２２は、ロック部分のハウジング２４に嵌め込まれ、切頭円錐型端部３２は、弾性タブ２８を広げ、弾性タブ２８は、環状リブ３０とその隣の環状リブとの間に接し、したがって、スナップ式嵌合（snap fit）を実行する（図２５および図２６）。ヘッド５２および細長い構造体５０によりロック部分２０に及ぼされた付勢により、隣接部分１８およびロック部分２０の可能な相互位置（mutual possible positions）のうちの１つを選択することができる。言い換えれば、組織の大体の虚血性の傾向（ischemic coloration）の相関的要素として判断されうる組織の最適な圧縮度を設定するために、環状リブ３０の存在により、隣接部分１８とロック部分２０との間の少なくとも２つの相対位置を定めることができる。
【００５７】
位置付け装置４８を引っ込めることにより、ロック部分２０は、依然として隣接部分１８に取り付けられたままであり、２つの組織部分を互いに結合された状態に保つことができる（図２７および図２８）。その後、以下に説明するように、吻合を完了することができる。
【００５８】
前述した態様による吻合装置を有利に設けることにより、有効でかつ容易に使用可能なツールを提供することができ、さらには、他の技術、例えば部分的にもしくは全面的に腹腔鏡的な技術または従来の外科技術においても使用が可能であったとしても、消化管の管の腔内での吻合を行うのに適した、ツールを提供することができる。
【００５９】
この装置の第１の目的は、吻合により接続されるべき２つの組織部分が近づけられることを可能にする、隣接部分を提供することである。この態様によると、少なくとも２つのガイドワイヤ上で接続されることができるか、またはロックさえされることができる有利な設備（provision）により、２つの組織部分を近づけ、かつ接続するために、器官（apparatus）内の通路全体にわたって吻合装置を制御し、かつ管理することができる。
【００６０】
２つのガイドワイヤの対向する２つの側部で接続する環状構造を設けることによって、組織を引き合わせるために使用される吻合装置内で吻合を行うことができる。吻合の可能な完了ステップは、以下に説明される。
【００６１】
２つの組織部分を近づけるため、および２つの組織部分を近づけられた状態に保つために同じ装置が使用されうるように、互いに接続されるか、または連結されるのに適した２つの部分の存在により、さらなる利点が得られる。ロックはスナップ式に行われるので、容易かつ有効であり、その上、組織の異なる圧縮度を決定する可能性を備えている。
【００６２】
特にガイドワイヤが、ピン、および２つの部分の間の接続用ハウジングを通過する場合に、２つの態様の組み合わせによりロックステップも正確に制御しかつ管理することが可能になるとしても、後者の態様は、１つ以上のガイドワイヤが存在することとは無関係であってよい。その結果、非常に小型の吻合装置がさらに得られる。
【００６３】
さらなる態様によると、本発明は、吻合装置に加えて、吻合を形成するよう意図された第１の組織部分１２および第２の組織部分１４を近づけ、オプションとしてそれら組織部分を近づけられた状態に保つのに適した吻合装置１０の少なくとも１つの部分を配備するための、位置付け装置４８も含む、キットに関する。
【００６４】
可能な実施形態によると、位置付け装置は、例えば前述したように吻合装置１０のロック部分２０を配備するのに適している。さらに、位置付け装置は、ロック部分２０を第１および第２の組織部分に対して反対側に位置する吻合装置１０の隣接部分１８にスナップ式に嵌めるように、ロック部分２０に付勢を及ぼすのに適している。
【００６５】
少なくとも１つのガイドワイヤを含むガイド手段に沿ってスライドするのに適しているのが好ましい、本発明による位置付け装置は、前述されている。特に、位置付け装置は、細長い構造体５０を含む。本明細書に例示されたような例では、細長い構造体５０は、例えば胃鏡タイプの、可視化装置から成る。
【００６６】
可視化装置の場合に特に有利である、可能な実施形態によると、位置付け装置は、可視化装置５０の遠位端部に締まりばめするのに適したヘッド５２を含む。ヘッド５２は、吻合装置の１つの部分に対して隣接するのに適している。有利には、ヘッドは、この同じヘッドの近位端部から延びる弾性タブ５４を含む。さらに、ヘッド５２は、少なくとも１つのチャネル、好ましくは、それぞれガイドワイヤを受容するのに適した２つのチャネル５６を含み、前述の位置付け装置は、有利にはこのガイド手段に沿ってスライドするのに適するようになっている。
【００６７】
有利には、ヘッド５２は、吻合装置部分のための推力面（thrust surface）を定める遠位端部を含む。吻合装置部分が、ガイドワイヤを受容するのに適したハウジングを含む場合、ヘッド５２の遠位端部は、これらのハウジングを受容するために開口部６０を含む。
【００６８】
例示されてきたものに対する可能な変形体によると、位置付け装置は、例えばヘッド５２のチャネル５６を設けることにより、１つのガイドワイヤ上でもスライド可能であってもよい。
【００６９】
本明細書において例示されてきたものに対する、可能な変形体によると、ヘッド５２は、あらゆるタイプの細長い構造体にも適用されうる。
【００７０】
位置付け装置は、消化管の管吻合を行うために内視鏡技術を実行することを特に目的として、可視化装置（胃鏡）などの既存の構造体を適応させることを可能にする。
【００７１】
しかしながら、細長い構造体は、吻合装置に対してより高い付勢を及ぼすために可撓性構造体によって、および剛性構造体によって実現されることができ、また、「硬化（stiffening）」構造体、すなわち剛性になるのに適した可撓性構造体によって、実現されることができる。
【００７２】
位置付け装置４８の適用および操作例は、図２２〜図２８を参照して前述されている。
【００７３】
本発明による位置付け装置は、容易かつ有効であり、ガイドワイヤ上をスライドすることができることにより、位置付け装置は、吻合装置の２つの部分の正確な位置付けを可能とする。
【００７４】
消化管の管吻合を行うための方法であって、吻合装置１０が前述の態様のうちの１つに従って使用される、方法を、以下に説明する。添付の図面を参照すると、胃‐空腸吻合を行うための方法であって、吻合装置１０が前述の態様のうちの１つに従って使用される、方法が例示されている。もちろん、例えば一般的には腸‐腸吻合、または、より詳細には空腸‐空腸吻合もしくは回腸‐空腸吻合を行うための方法において、さらなる使用および異なる使用が可能である。
【００７５】
前述の方法の第１のステップは、自然のオリフィスまたは他の管腔構造体を通して、互いに並んで、例えば本質的には平行に配された少なくとも２つのガイドワイヤＡおよびＢの導入をもたらす。ガイドワイヤは、近位端部Ａ’およびＢ’と遠位端部Ａ”およびＢ”との間に延在し、吻合が行われるべき第１の組織部分１２および第２の組織部分１４を通過する。
【００７６】
例示されてきたことによると、ガイドワイヤは、導入ステップ、および吻合により接続されるべき第１の組織部分の通過ステップの双方において、互いから離間している。代替的実施形態によると、導入ステップ、および第１の組織部分の通過ステップにおいても、ガイドワイヤは、近づけられて、互いに並んで配される。後者の場合、ガイドワイヤは、遠位端部において接続され、その後、挿入が完了したら分離されてもよい。
【００７７】
前述の方法は、第１の組織部分および第２の組織部分を引き合わせ、吻合を行うことにより、吻合装置をある方向にロックし吻合部位まで引っ張ることによって、２つのガイドワイヤに沿った吻合装置の挿入を行う。吻合装置は、ガイドワイヤ上で予め組み立てられてもよく、あるいは、既にループに成形されたガイドワイヤ上でロックされてもよい。
【００７８】
特に、２つのガイドワイヤは、自然のオリフィスまたは他のオリフィスにおいて端部によりループを形成するように位置し、このループは、接続されるべき第１の組織部分１２および第２の組織部分１４を通過する。吻合装置は、ループ型の２つのワイヤに沿って挿入されて、腔内で吻合を行う。
【００７９】
ループを形成するために、２つのガイドワイヤの遠位端部は、まず第１の組織部分１２に挿入され、第１の組織部分１２を通過して反対側に突出するまで、その中を通して導入される。好ましくは、２つのガイドワイヤは、第１の組織部分１２に到達して通過するまでは少なくとも、挿入装置６２を通して挿入される。
【００８０】
図３１を参照すると、挿入装置６２は、ガイドワイヤのうち１つを受容し挿入するのに適した第１の作動チャネル６６を備えた、可視化装置、例えば胃鏡６４によって得られることが好ましい、細長い構造体を含む。有利には、細長い構造体（可視化装置６４）の遠位端部に据えられるのに適した接続ヘッド６８が、さらに設けられてもよい。接続ヘッド６８は、ガイドワイヤのうちもう１つのガイドワイヤを受容し挿入するのに適した、少なくとも１つの第２の作動チャネル７０と一体である。作動チャネル７０は、本質的には細長い構造体の長さ全体にわたって延びて、挿入の間、２つのガイドワイヤを別個に保つ。有利には、第２の作動チャネル７０は、細長い構造体の外部に位置しており、接続ヘッド６８により、細長い構造体と一体とされている。
【００８１】
特に、第１および第２の作動チャネルは、消化管の管吻合を行うための方法において、ガイドワイヤをそれぞれ配備するのに適している。
【００８２】
有利には、作動チャネルは、挿入、および第１の組織部分の通過の間、ガイドワイヤを離間した状態に保つために、互いから、決められた距離を置いて位置している。好ましくは、第２の作動チャネル７０は、第１の作動チャネル６６に対して可視化装置６４の反対側に位置する。
【００８３】
可能な実施形態によると、挿入装置６２の接続ヘッド６８は、細長い構造体（可視化装置６４）の遠位端部に締まりばめするのに適している。例えば、接続ヘッド６８は、この接続ヘッドの近位端部から延びる弾性タブ７２を含む。
【００８４】
代替的実施形態によると、挿入装置は、ガイドワイヤを同時に挿入し、かつ互いに並べて配するために、１つの作動チャネルを有する。この場合、ガイドワイヤは、同じ開口部を通って第１の組織部分を通過する。オプションとして、２つのガイドワイヤは、最初は遠位端部において互いに接続されてよく、その後、ガイドワイヤの挿入が終了するときに分離されてよい。
【００８５】
挿入装置６２は、細長い構造体（可視化装置６４  −図３１）の遠位端部上に接続ヘッド６８を挿入して、患者の体外で組み立てられる。その後、挿入装置６２は、食道内、そして胃の中に導入され（図２）、空腸、そして第１の組織部分１２（図３）へと導入される。
【００８６】
ガイドワイヤＡは、ガイドワイヤの遠位端部が挿入装置６２の遠位端部から突出し（図４）第１の組織部分の壁部を通過するまで、第１の作動チャネル６６を通して挿入される。ガイドワイヤの遠位端部Ａ”は、第１の組織部分の壁部を越えて延びる。さらに、第２のガイドワイヤが、このガイドワイヤの遠位端部が挿入装置６２の遠位端部から突出し（図５）第１の組織部分の壁部を通過するまで、第２の作動チャネル７０を通して挿入される。第２のガイドワイヤの遠位端部Ｂ”は、第１の組織部分の壁部を越えて延びる（図６）。挿入装置は、次に引き戻される（図７）。
【００８７】
ガイドワイヤを導入する前に、第１の組織部分の壁部は、例えば高周波によって、または他の装置により穿孔され、こうした装置はオプションとして同じ挿入装置６２により導入される。例えば、高周波針を収容しているシース６３が、第１の作動チャネル６６に沿って第１の組織部分の壁部まで挿入される。高周波針は、壁部を穿孔し、次に、ガイドワイヤＡが、高周波針により穿孔された孔において、第１の組織部分の壁部を通過するまで、シースに沿って挿入される。同じ手順が、第２の作動チャネル７０を通して位置付けるガイドワイヤＢにおいて続けられうる。この場合、各ガイドワイヤには、第１の組織部分を貫通する開口部が対応し、これらのガイドワイヤは、少なくとも部分的に互いから離れている。図面に例示された事例では、空腸造瘻を行うとすれば、第１の組織部分は、本質的には空腸管に相当し、ガイドワイヤは、この空腸管を通過する。
【００８８】
異なる実施形態および適用例によると、ガイドワイヤは、例えば挿入装置または可視化装置の、１つの作動チャネルを通って、近づけられて挿入され、かつ互いに並んで配される。ガイドワイヤを導入する前に、第１の組織部分の壁部は、例えば高周波により、または他の装置によって、１つの点において穿孔され、こうした装置はオプションとして同じ挿入装置により導入される。ガイドワイヤの遠位端部は、導入ステップの間は少なくとも、接続されてよい。
【００８９】
オプションとして、好ましくは第２の組織部分を通過する前に、管腔構造体から出てくるガイドワイヤの近位端部Ａ’およびＢ’の分離および識別ステップがもたらされる。管腔構造体から出てくるガイドワイヤの近位端部の、この分離および識別ステップは、２つのガイドワイヤ上に、その同じガイドワイヤの近位端部を起点として第１のシース７４を導入して行われるのが好ましい。第１のシースは、特色をなす要素を有し、例えば予め決められた色（prefixed colour）で作られる（図８）。
【００９０】
ループを完全にするため、有利には、２つのガイドワイヤの遠位端部Ａ”およびＢ”を把持するように、接続されるべき第２の組織部分１４を通した把持装置７６の挿入がもたらされる。把持装置を第２の組織部分に通すために、例えば高周波針または他のものにより、第２の組織部分１４に孔７８を作ること（図面を参照すると胃造瘻）が、有利になされる。孔７８は、オプションとして、把持装置の作動チャネルを通して導入されることが好ましいバルーンカテーテル８０により拡大される（図１０および図１１）。
【００９１】
可能な実施形態によると、把持装置は、例えば胃鏡の類の、可視化装置であって、作動チャネルが、バルーンカテーテル８０、ならびに、その後ガイドワイヤの遠位端部Ａ”およびＢ”を把持するためのスネア８２を挿入するのに用いられる、可視化装置を含む。把持装置７６は、孔７８を通過し、ガイドワイヤの遠位端部に到達する（図１２）。スネアがガイドワイヤの遠位端部上で閉じる場合（図１３）、このスネアは、把持装置と共に、このスネアが導入されたオリフィスまで、孔７８を通して後退させられる（図１４）。ガイドワイヤは次に、同じオリフィスに戻されることが好ましい遠位端部および近位端部でループを形成するように位置させられる（図１５）。
【００９２】
把持装置は、完全に腔内で、または腹腔鏡の管理により、作動させられることができる。この不図示の代替案によると、孔７８（胃造瘻部）は拡大されず、ループのみが孔７８を通過するようにされる。その後、外科医は、腹腔鏡下で遠位端部Ａ”およびＢ”を個別化し、腹腔鏡制御下でそれらをループの中に挿入する。最後に、ループは再び閉じられ、図１５に示されるようにループを形成するように引き戻される。
【００９３】
オプションとして、分離および識別ステップは、第１および第２の組織部分を通過した後で管腔構造体から出てくるガイドワイヤの遠位端部に対して行われる。有利には、ガイドワイヤの遠位端部に対する、この分離および識別ステップは、２つのガイドワイヤ上に、これらの同じガイドワイヤの遠位端部を起点として第２のシース８４を導入することにより行われる。第２のシースは、特色をなす特徴部、例えば第１のシース７４の色とは異なる色を呈する（図１６）。
【００９４】
いったんループが形成されると、吻合装置は、前述のように、第１の組織部分および第２の組織部分を近づけ、オプションとしてそれら組織部分を共に保持するように、２つのガイドワイヤ上に挿入される。オプションとして、隣接部分１８は、ガイドワイヤの遠位端部が引っ張られたときに、隣接部分が引っ張られて、接続されるべき組織部分に近づけられるように、ガイドワイヤに予め結合されているか、一体化されている。
【００９５】
ガイドワイヤの遠位端部が接続されている場合、ループを形成した後で、またはループの形成に続いて、それら遠位端部を分割することができる。
【００９６】
第１のシース７４が設けられる場合、吻合装置１０の隣接部分１８は、第１のシース７４を取り除いた後でガイドワイヤの近位端部の上に挿入される。第１のシース７４は、吻合装置の隣接部分が、接続されるべき２つの組織部分を近づけると、ガイドワイヤの近位端部上に再び位置付けられることが好ましい。
【００９７】
第２のシース８４が設けられる場合、吻合装置１０のロック部分２０は、次に、第２のシース８４を取り除いた後で、ガイドワイヤの遠位端部Ａ”およびＢ”上に挿入される。
【００９８】
この方法の最終ステップは、吻合の完了をもたらす。前述のような吻合装置を用いて、吻合は、吻合装置の２つの環状構造体の開口部において行なわれる。
【００９９】
添付の図面に記載された適用を参照すると、好適な実施形態に従って、吻合は、例えば壁部を穿孔するのに適した高周波針を導入して、空腸側で行われる。オプションとして、その後、バルーンカテーテルが、穿孔部（punching）を拡大するために導入され、かつ／または、さらなるツールが組織の一部を除去するために導入される。代替的実施形態によると、吻合は、胃側で行われてもよい。この場合、吻合が行われなければならない壁部とは反対側の空腸壁にも穿孔部が影響を及ぼすことを避けるために、空腸に遮へい装置を導入することが可能である。
【０１００】
最後に、ガイド手段（ガイドワイヤ）は、ロック部材６１が設けられている場合のように、例えば近位端部Ａ’およびＢ’を引っ張ることにより、取り除かれる。言い換えれば、ガイドワイヤは、これらガイドワイヤが吻合装置に対してスライドすることができる方向に引っ張られる。オプションとして、メチレンブルーに基づいた吻合の密閉テストが実行されてよい。
【０１０１】
添付の図面を参照すると、前述の方法は、有利には腔内で、例えば胃‐空腸吻合（Ｇ−Ｊ）を行うステップに使用されうる。事実、図１は、食道と、胃と、空腸（jejune）に相当する腸管とを含む、消化器官の一部を例示している。２つのガイドワイヤＡおよびＢが、胃および空腸管に到達するまで、自然のオリフィスを示す食道、または別のオリフィス、また人工のオリフィスを通して導入される（図７）。その後、２つのガイドワイヤＡおよびＢは、前述のオリフィスを通って出る遠位端部Ａ”，Ｂ”および近位端部Ａ’，Ｂ’でループ状にされる（図１５）。このループは、接続されるべき部分である、それぞれ空腸造瘻部および胃造瘻部を、通過する。
【０１０２】
特に、２つのガイドワイヤＡおよびＢは、食道、胃、および空腸管を通して導入され、それらの１つの遠位端部は、例えば前述のように接続されるべき第１の組織部分に相当する空腸壁を高周波針により穿孔した後で、この空腸壁を通過するようにされる（図６）。このステップは、好ましくは、前述のように、図２〜図６に示されるような挿入装置６２により行われる。異なる実施形態および適用例によると、ガイドワイヤは、例えば挿入装置または可視化装置の、１つの作動チャネルを通して近接して挿入されて、互いに並んで配される。ガイドワイヤを導入する前に、第１の組織部分の壁部は、例えば高周波により、または他の装置により、１つの点において穿孔され、こうした装置は、オプションとして、同じ挿入装置により導入される。
【０１０３】
前述の方法が胃‐腸バイパス術の一部である場合、オプションとして先に述べたステップを繰り返すことにより、さらなる腸‐腸吻合（例えば空腸‐空腸吻合もしくは回腸‐空腸吻合）をその後に続けて行うことが可能である。
【０１０４】
この方法は、目的に適した吻合装置を用いる場合、オプションとして、１つのガイドワイヤを用いて行われてもよい。
【０１０５】
最も広い実施形態、もしくは胃‐空腸吻合（Ｇ−Ｊ）を行うための特定の適用で説明されるように、前述の方法により、ガイドワイヤの位置付けステップ、および組織部分を近づけ接続するステップの双方で、連続的な制御が可能である。与えられたステップにより、腹腔鏡的な技術もしくは部分的に腹腔鏡的な技術が除外されないとしても、今まで従来の手術または腹腔鏡下で適用されている処置について腔内アプローチがさらに可能になる。
【０１０６】
前述の方法は、特に胃‐腸バイパス、もしくは経肛門的アクセスによる結腸‐結腸吻合を達成するために、異なる種類の吻合、例えば空腸‐空腸吻合を行うのにさらに用いられうる。
【０１０７】
可能な実施形態によると、消化管の管吻合を行うための前述の方法は、特に胃‐腸バイパスを達成するために、図３５および図３６に例示されるような場合に適用されることができる。この方法は、吻合（胃‐空腸吻合および空腸‐空腸吻合の双方）がそれぞれ形成された後で、腸管の完全性および連続性を維持するか、または再建する（reintegrate）ように構成された吻合８８、９４を形成するために、組織１２、１４の引き合わせステップおよび接続ステップを含む。さらに、胃‐空腸吻合および空腸‐空腸吻合は、至近距離（closed-up distance）で行われ、したがって、腹部の上方領域にのみとどまると共に広い術野および視野を可能にする。
【０１０８】
この場合でも、組織を近づけるステップ、ならびに、胃‐空腸吻合および／または空腸‐空腸吻合を作るステップは、接続されるべき組織部分を通過するループを形成するように位置し、互いに並んで配された、少なくとも２つのガイドワイヤを含むのが好ましい、ガイド手段を用いて行われうる。このガイド手段は、本発明による吻合装置、または他の吻合装置もしくは位置付け装置に結合されてよい。前述の方法は、腔内で、または部分的もしくは全面的に腹腔鏡的な方法で、行われうる。
【０１０９】
前述したすべての場合において、空腸の第１の部分が接続されるポケット１００を胃の中に部分的に作ることが、予防的にもたらされてよい。
【０１１０】
図３５および図３６を参照すると、続いて、第１のループが、胃ポケットの開口部分を通り、かつ、接続されるべき空腸の部分および胃の部分を通る、ガイドワイヤで作られている。吻合装置は、ガイド手段上で挿入されロックされ、接続されるべき第１の部分に対して隣接し、かつその第１の部分を、接続されるべき第２の部分と共に引っ張るまで、同じガイド手段によって引っ張られる。この第１の連続したステップは、胃‐空腸吻合８８を行い、腸の第１のループ８６を形成することで終了する。
【０１１１】
続いて、ガイドワイヤの第２のループが、胃ポケットの開口部分を通って、かつ、接続されるべき空腸の２つの部分を通って、作られる。第２のループの経路は、食道を通って、胃および腸管に沿って、接続されるべき組織部分のうち一方まで、外面的には、接続されるべきもう一方の組織部分まで、さらにそこから腸に沿って、胃‐空腸吻合および食道を通って展開することができる。あるいは、ループの双方の支流（branches）は、先に行われた胃‐空腸吻合を通過することもできる。
【０１１２】
この場合も、吻合装置はガイド手段上で挿入され、ある方向にロックされて、吻合装置が、接続されるべき第１の部分に対して隣接し、かつ接続されるべき第２の部分と第１の部分を引き合わせるまで、同じガイド手段によって引っ張られる。この第２の連続したステップは、腸‐腸吻合９４を行うこと、腸の第２のリング９６を完成すること、および、胃ポケット１００を完全にすることで終了する。この方法の完了時の２つの吻合間の腸の切断線は、符号９８により示されている。
【０１１３】
ガイド手段が、接続されるべき組織壁部を通過することは、吻合形成後に腸管の連続性が再建されるように、吻合を形成するよう意図される領域で壁部を（例えば高周波針で）穿孔して行われうる。
【０１１４】
この目的に適した吻合装置は、本願に記載された吻合装置、または吻合を行うために吻合リングを解放するのに適した吻合装置もしくは位置付け装置、またはガイド手段上にあり、ガイド手段上をスライド可能なアンビルと協働する、スライド可能な円形ステープラであってよい。
【０１１５】
可能な実施形態によると、ガイド手段および吻合装置（特に隣接部分１８）は、互いに離間していて、使用時に互いに結合されるのに適していてよい。あるいは、吻合装置（特に隣接部分１８）が、ある方向に引っ張られ、かつ反対方向に引き抜かれることができるように、ガイド手段上で予め組み立てられるか、または一体化されている、ガイド手段が設けられてもよい。
【０１１６】
さらに、少なくとも２つのガイドワイヤが設けられている場合は、挿入の間、ガイドワイヤは、少なくとも部分的に互いからある距離を置いて並んで配されてもよく、あるいは並んで配され近づけられてもよい。この場合、挿入装置を設けることにより、ガイドワイヤは、共通の開口部において第１の組織部分を通過するように、同じ作動チャネルにより導入され、並んで配され、かつ近づけられることができる。オプションとして、このステップの間、ガイドワイヤの遠位端部は、互いに接続されていてよい。これら遠位端部は、ループが作られると、オプションとして分離させられる。
【０１１７】
先の場合のように、この方法により、胃‐腸バイパスの場合の死亡のリスクが低減され、かつ、介入時間（intervention times）を大幅に最小化することができる。２つの吻合が完了するまで腸の連続性を維持することにより、２つの吻合を同時に評価することが可能になる。さらに、２つの吻合を近づけて配列することにより、手術野が腹部の上方領域に限定される。
【０１１８】
前述した装置および方法の好適な実施形態に対して、当業者は、偶然的かつ特定のニーズ（contingent and specific needs）を満たす目的で、しかしながら特許請求の範囲から逸脱することなく、機能的に等価な他の要素による、要素の多くの変更、改造および置換を導くことができるであろう。
【０１１９】
〔実施の態様〕
（１）  吻合を形成するよう意図された第１の組織部分（１２）および第２の組織部分（１４）を近づけ、近接した状態に保つのに適した、吻合装置（１０）において、
前記第１の組織部分（１２）の表面に対して隣接するのに適した、隣接部分（１８）と、
前記第１の組織部分（１２）および前記第２の組織部分（１４）に対して前記隣接部分（１８）の反対側に置かれるのに適した、ロック部分（２０）と、
を含み、
前記ロック部分（２０）および前記隣接部分（１８）は、近づけられた前記第１の組織部分（１２）および前記第２の組織部分（１４）を互いに近接した状態に保つように、前記第１の組織部分（１２）および前記第２の組織部分（１４）を通して互いに接続可能であり、
前記隣接部分（１８）および前記ロック部分（２０）のうち少なくとも一方は、前記第１の組織部分（１２）または前記第２の組織部分（１４）に到達するように、少なくとも１つのガイドワイヤ（Ａ，Ｂ）を含むガイド手段に接続されるのに適している、吻合装置。
（２）  実施態様１に記載の吻合装置（１０）において、
前記隣接部分（１８）は、少なくとも２つのガイドワイヤ（Ａ，Ｂ）上で、ある方向にロックされるのに適しており、前記少なくとも２つのガイドワイヤ（Ａ，Ｂ）により、前記隣接部分（１８）は、前記第１の組織部分（１２）に到達するまで引っ張られ、
前記ガイドワイヤは、反対の方向に引っ込められることができる、吻合装置。
（３）  実施態様２に記載の吻合装置（１０）において、
前記隣接部分（１８）は、同じ前記吻合装置の対向する２つの側部に位置する少なくとも２つのガイドワイヤ（Ａ，Ｂ）上で、ある方向にロックされるのに適している、吻合装置。
（４）  実施態様２または３に記載の吻合装置（１０）において、
前記隣接部分（１８）は、ロック部材（６１）により前記少なくとも２つのガイドワイヤ（Ａ，Ｂ）上で、ある方向にロックされるのに適しており、
前記ロック部材（６１）は、ガイドワイヤにそれぞれ一体にされており、前記ガイドワイヤ上での前記隣接部分（１８）の前記方向に沿ったスライドに対する障害物を定めるのに適している、吻合装置。
（５）  実施態様２〜４のいずれかに記載の吻合装置（１０）において、
前記隣接部分（１８）は、それぞれガイドワイヤ（Ａ，Ｂ）を受容するのに適した少なくとも２つのチャネル（３４）を含む、吻合装置。
【０１２０】
（６）  実施態様５に記載の吻合装置（１０）において、
前記チャネル（３４）は、前記吻合装置（１０）の対向する側部に位置する、吻合装置。
（７）  実施態様５または６に記載の吻合装置（１０）において、
前記チャネル（３４）は、前記隣接部分（１８）を通る、吻合装置。
（８）  実施態様２〜７のいずれかに記載の吻合装置（１０）において、
前記ロック部分（２０）は、前記少なくとも２つのガイドワイヤ（Ａ，Ｂ）に沿ってスライドするのに適しており、前記ガイドワイヤ（Ａ，Ｂ）に沿って前記ロック部分（２０）を付勢する位置付け装置（４８）との相互作用部分を有する、吻合装置。
（９）  実施態様１に記載の吻合装置（１０）において、
前記少なくとも１つのガイドワイヤ（Ａ，Ｂ）は、前記隣接部分（１８）と前記ロック部分（２０）との間の接続部材において、前記隣接部分（１８）および前記ロック部分（２０）を通過する、吻合装置。
（１０）  実施態様１〜９のいずれかに記載の吻合装置（１０）において、
少なくとも１つのピン（２２）が、前記隣接部分（１８）から延び、
前記少なくとも１つのピン（２２）は、前記ロック部分のそれぞれのハウジング（２４）に挿入されることにより前記ロック部分（２０）に連結するように、前記第１の組織部分（１２）および前記第２の組織部分（１４）を通過するのに適している、吻合装置。
【０１２１】
（１１）  実施態様１０に記載の吻合装置（１０）において、
前記少なくとも１つのピン（２２）は、前記隣接部分（１８）に可動式に据えられる、吻合装置。
（１２）  実施態様１１に記載の吻合装置（１０）において、
前記少なくとも１つのピン（２２）は、前記隣接部分（１８）にネジで取り付けられる、吻合装置。
（１３）  実施態様１０〜１２のいずれかに記載の吻合装置（１０）において、
前記少なくとも１つのピン（２２）は、その中にチャネル（３４）を定め、前記チャネル（３４）は、ガイドワイヤ（Ａ，Ｂ）を受容するのに適しており、
前記ロック部分（２０）の前記それぞれのハウジング（２４）は、前記ガイドワイヤ（Ａ，Ｂ）を収容するのに適している、吻合装置。
（１４）  実施態様１０〜１３のいずれかに記載の吻合装置（１０）において、
前記ロック部分（２０）のそれぞれのハウジング（２４）に挿入されることにより、前記ロック部分（２０）と連結するように、前記隣接部分（１８）から延びる、少なくとも２つのピン（２２）、
を含み、
前記少なくとも２つのピン（２２）のそれぞれは、その中にそれぞれのチャネル（３４）を定め、前記チャネル（３４）は、ガイドワイヤ（Ａ，Ｂ）を受容するのに適している、吻合装置。
（１５）  実施態様１０〜１４のいずれかに記載の吻合装置（１０）において、
ピン（２２）は、前記ロック部分（２０）の前記それぞれのハウジング（２４）に結合された弾性タブ（２８）とのスナップ式嵌合部を定めるのに適した、少なくとも１つの成形部分（２６）を呈し、
前記弾性タブは、前記ハウジング（２４）を延ばすために、前記隣接部分（１８）から離れて前記ピン（２２）の方向に延びる、吻合装置。
【０１２２】
（１６）  実施態様１５に記載の吻合装置（１０）において、
前記弾性タブ（２８）は、前記それぞれのハウジング（２４）の周縁部に沿って分配されており、前記ピン（２２）の挿入の方向および向きに延びる、吻合装置。
（１７）  実施態様１〜１６のいずれかに記載の吻合装置（１０）において、
前記ロック部分（２０）は、前記吻合を形成するよう意図された領域にアクセスするための開口部（３６）を有する、吻合装置。
（１８）  実施態様１７に記載の吻合装置（１０）において、
前記ロック部分（２０）は、本質的に環状である、吻合装置。
（１９）  実施態様１７または１８に記載の吻合装置（１０）において、
前記ロック部分（２０）は、前記隣接部分（１８）のそれぞれのピン（２２）を収容するために２つのハウジング（２４）を含み、
前記ハウジングは、前記開口部（３６）の向かい側に位置する、吻合装置。
（２０）  実施態様１７〜１９のいずれかに記載の吻合装置（１０）において、
前記隣接部分（１８）は、前記吻合を形成するよう意図された前記領域にアクセスするための開口部（３８）であって、前記ロック部分（２０）の前記開口部（３６）に対応する、開口部（３８）を有する、吻合装置。
【０１２３】
（２１）  実施態様２０に記載の吻合装置（１０）において、
前記隣接部分（１８）は、本質的に環状である、吻合装置。
（２２）  実施態様２０または２１に記載の吻合装置（１０）において、
前記隣接部分（１８）は、前記ロック部分（２０）のそれぞれのハウジング（２４）に挿入されるのに適した、２つのピン（２２）を含み、
前記ピンは、前記開口部（３８）の向かい側に位置する、吻合装置。
（２３）  実施態様１〜２２のいずれかに記載の吻合装置（１０）において、
前記ロック部分（２０）は、近づけられるべき前記第２の組織部分（１４）の表面に対して隣接するのに適した、粗い接触面（４０）を有する、吻合装置。
（２４）  実施態様１〜２３のいずれかに記載の吻合装置（１０）において、
前記ロック部分（２０）は、近づけられるべき前記第２の組織部分（１４）の表面に対して隣接するのに適した、接触面（４０）を有し、
前記接触面（４０）は、先の尖った部材（４２）を含む、吻合装置。
（２５）  実施態様１〜２４のいずれかに記載の吻合装置（１０）において、
前記ロック部分（２０）は、近づけられるべき前記第２の組織部分（１４）の表面に対して隣接するのに適した、接触面（４０）を有し、
前記接触面（４０）は、環状溝部（４３ａ）を含む、吻合装置。
【０１２４】
（２６）  実施態様１〜２５のいずれかに記載の吻合装置（１０）において、
前記ロック部分（２０）は、近づけられるべき前記第２の組織部分（１４）の表面に対して隣接するのに適した、接触面（４０）を有し、
前記接触面（４０）は、例えば粒状で公表されている材料で作られた層（４３ｂ）を含む、吻合装置。
（２７）  実施態様１〜２６のいずれかに記載の吻合装置（１０）において、
前記隣接部分（１８）は、近づけられるべき前記第１の組織部分（１２）の表面に対して隣接するのに適した、粗い接触面（４４）を有する、吻合装置。
（２８）  実施態様１〜２７のいずれかに記載の吻合装置（１０）において、
前記隣接部分（１８）は、近づけられるべき前記第１の組織部分（１２）の表面に対して隣接するのに適した、接触面（４４）を有し、
前記接触面は、先の尖った部材（４６）を含む、吻合装置。
（２９）  実施態様１〜２８のいずれかに記載の吻合装置（１０）において、
前記隣接部分（１８）は、近づけられるべき前記第１の組織部分（１２）の表面に対して隣接するのに適した、接触面（４４）を有し、
前記接触面は、環状溝部（４３ａ）を含む、吻合装置。
（３０）  実施態様１〜２９のいずれかに記載の吻合装置（１０）において、
前記隣接部分（１８）は、近づけられるべき前記第１の組織部分（１２）の表面に対して隣接するのに適した、接触面（４４）を呈し、
前記接触面は、例えば粒状で公表されている材料で作られた層（４３ｂ）を含む、吻合装置。
【０１２５】
（３１）  実施態様１〜３０のいずれかに記載の吻合装置（１０）において、
非生体吸収性材料で一体的に作られている、吻合装置。
（３２）  実施態様１〜３０のいずれかに記載の吻合装置（１０）において、
生体分解性材料または生体適合性材料で一体的に作られている、吻合装置。
（３３）  実施態様１〜３０のいずれかに記載の吻合装置（１０）において、
前記隣接部分と前記ロック部分との間の接続部材において、部分的に生体分解性材料または生体適合性材料で作られている、吻合装置。
（３４）  吻合を形成するよう意図された第１の組織部分（１２）および第２の組織部分（１４）を近づけて、互いに近接した状態に保つためのキットにおいて、
実施態様１〜３３のいずれかに記載の吻合装置（１０）と、
前記吻合装置（１０）の少なくとも１つの部分を配備するための位置付け装置（４８）と、
を含み、
前記位置付け装置（４８）は、少なくとも１つのガイドワイヤ（Ａ，Ｂ）を含むガイド手段に沿ってスライドするのに適しており、細長い構造体（５０）を含む、キット。
（３５）  実施態様３４に記載のキットにおいて、
前記位置付け装置（４８）は、前記細長い構造体の遠位端部に衝突して挿入されるのに適した（suitable for interference inserting）ヘッド（５２）を含み、
前記ヘッド（５２）は、前記吻合装置（１０）の前記少なくとも１つの部分に対して隣接するのに適している、キット。
【０１２６】
（３６）  実施態様３５に記載のキットにおいて、
前記ヘッド（５２）は、前記ヘッド（５２）の近位端部から延びる、弾性タブ（５４）を含む、キット。
（３７）  実施態様３５または３６に記載のキットにおいて、
前記位置付け装置（４８）は、少なくとも２つのガイドワイヤ（Ａ，Ｂ）を含むガイド手段に沿ってスライドするのに適しており、
前記ヘッド（５２）は、それぞれガイドワイヤ（Ａ，Ｂ）を受容するのに適した、少なくとも２つのチャネル（５６）を含む、キット。
（３８）  実施態様３５〜３７のいずれかに記載のキットにおいて、
前記ヘッド（５２）は、前記吻合装置（１０）の前記少なくとも１つの部分のための推力面（５８）を定める遠位端部を含む、キット。
（３９）  実施態様３８に記載のキットにおいて、
前記位置付け装置（４８）は、前記吻合装置（１０）のロック部分（２０）を配備するのに適しており、かつ、前記ロック部分（２０）を前記第１の組織部分および前記第２の組織部分（１４）の反対側に位置する前記吻合装置（１０）の隣接部分（１８）に対してスナップ式に嵌めるように、前記ロック部分（２０）に付勢を及ぼすのに適している、キット。
（４０）  実施態様３８または３９に記載のキットにおいて、
前記遠位端部は、前記ロック部分（２０）のそれぞれのハウジング（２４）に結合された弾性タブ（２８）を受容するための少なくとも１つの開口部（６０）を含み、
前記弾性タブは、前記ハウジング（２４）を延ばすために、前記隣接部分（１８）から離れて前記隣接部分（１８）のピン（２２）の方向に延び、
前記ハウジング（２４）は、ガイドワイヤ（Ａ，Ｂ）を受容するのに適している、キット。
【０１２７】
（４１）  実施態様３４〜３９のいずれかに記載のキットにおいて、
前記細長い構造体（５０）は、例えば胃鏡の類の、可視化装置である、キット。
（４２）  吻合（１６）を形成するよう意図された第１の組織部分（１２）および第２の組織部分（１４）を近づけるのに適した吻合装置（１０）において、
近づけられるべき前記第１の組織部分（１２）の表面に対して隣接するのに適した、隣接部分（１８）、
を含み、
前記隣接部分（１８）は、前記第１の組織部分（１２）に到達するように、少なくとも２つのガイドワイヤ（Ａ，Ｂ）を含むガイド手段に接続されるのに適している、吻合装置。
（４３）  実施態様４２に記載の吻合装置（１０）において、
前記隣接部分（１８）は、前記少なくとも２つのガイドワイヤ（Ａ，Ｂ）上で、ある方向にロックされるのに適しており、前記少なくとも２つのガイドワイヤ（Ａ，Ｂ）により、前記隣接部分（１８）は、前記第１の組織部分（１２）に到達するまで引っ張られ、
前記ガイドワイヤは、反対の方向に引っ込められることができる、吻合装置。
（４４）  実施態様４３に記載の吻合装置（１０）において、
前記隣接部分（１８）は、同じ前記吻合装置の対向する２つの側部に位置する前記少なくとも２つのガイドワイヤ（Ａ，Ｂ）上で、ある方向にロックされるのに適している、吻合装置。
（４５）  実施態様４３または４４に記載の吻合装置（１０）において、
前記隣接部分（１８）は、ロック部材（６１）により、前記少なくとも２つのガイドワイヤ（Ａ，Ｂ）上で、ある方向にロックされるのに適しており、
前記ロック部材（６１）は、前記ガイドワイヤとそれぞれ一体にされており、前記ガイドワイヤ上で前記隣接部分（１８）が前記方向に沿ってスライド運動することに対する障害物を定めるのに適している、吻合装置。
【０１２８】
（４６）  実施態様４２〜４５のいずれかに記載の吻合装置（１０）において、
前記隣接部分（１８）は、近づけられるべき前記第１の組織部分（１２）の表面に対して隣接するのに適した、粗い接触面（４４）を有する、吻合装置。
（４７）  実施態様４２〜４６のいずれかに記載の吻合装置（１０）において、
前記隣接部分（１８）は、近づけられるべき前記第１の組織部分（１２）の表面に対して隣接するのに適した、接触面（４４）を有し、
前記接触面（４４）は、先の尖った部材（４６）を含む、吻合装置。
（４８）  実施態様４２〜４６のいずれかに記載の吻合装置（１０）において、
前記隣接部分（１８）は、近づけられるべき前記第１の組織部分（１２）の表面に対して隣接するのに適した、接触面（４４）を有し、
前記接触面（４４）は、環状溝部（４３ａ）を含む、吻合装置。
（４９）  実施態様４２〜４６のいずれかに記載の吻合装置（１０）において、
前記隣接部分（１８）は、近づけられるべき前記第１の組織部分（１２）の表面に対して隣接するのに適した、接触面（４４）を有し、
前記接触面（４４）は、例えば粒状で公表されている材料で作られた層（４３ｂ）を含む、吻合装置。
（５０）  実施態様４２〜４９のいずれかに記載の吻合装置（１０）において、
前記隣接部分（１８）は、それぞれガイドワイヤ（Ａ，Ｂ）を受容するのに適した、少なくとも２つのチャネル（３４）を含む、吻合装置。
【０１２９】
（５１）  実施態様５０に記載の吻合装置（１０）において、
前記チャネル（３４）は、前記吻合装置（１０）の対向する側部に位置する、吻合装置。
（５２）  実施態様５０または５１に記載の吻合装置（１０）において、
前記チャネル（３４）は、前記隣接部分（１８）を通る、吻合装置。
（５３）  実施態様４２〜５２のいずれかに記載の吻合装置（１０）において、
前記隣接部分（１８）は、前記少なくとも２つのガイドワイヤ（Ａ，Ｂ）の間に位置する開口部（３８）を有する、吻合装置。
（５４）  実施態様５２に記載の吻合装置（１０）において、
前記隣接部分（１８）は、本質的に環状である、吻合装置。
（５５）  実施態様４２〜５４のいずれかに記載の吻合装置（１０）において、
前記隣接部分（１８）は、前記吻合装置（１０）のロック部分（２０）と連結するのに適しており、
前記ロック部分（２０）は、近づけられる２つの前記組織部分を互いに接続された状態に保つために、前記第１の組織部分（１２）および前記第２の組織部分（１４）に対して、前記隣接部分（１８）の反対側に置かれるのに適している、吻合装置。
【０１３０】
（５６）  実施態様５５に記載の吻合装置（１０）において、
前記ロック部分（２０）は、前記少なくとも２つのガイドワイヤ（Ａ，Ｂ）に沿ってスライドするのに適しており、前記ガイドワイヤ（Ａ，Ｂ）に沿って前記ロック部分（２０）を付勢する位置付け装置（４８）との相互作用部分を有する、吻合装置。
（５７）  実施態様５６に記載の吻合装置（１０）において、
前記少なくとも２つのガイドワイヤ（Ａ，Ｂ）は、前記隣接部分（１８）と前記ロック部分（２０）との間の接続部材において、前記隣接部分（１８）および前記ロック部分（２０）を通過する、吻合装置。
（５８）  実施態様５６または５７に記載の吻合装置（１０）において、
少なくとも１つのピン（２２）が、前記隣接部分（１８）から延び、
前記少なくとも１つのピン（２２）は、前記ロック部分（２０）のそれぞれのハウジング（２４）に挿入されることにより前記ロック部分（２０）に連結するように、前記第１の組織部分（１２）および前記第２の組織部分（１４）を通過するのに適している、吻合装置。
（５９）  実施態様５８に記載の吻合装置（１０）において、
前記少なくとも１つのピン（２２）は、前記隣接部分（１８）に可動式に据えられる、吻合装置。
（６０）  実施態様５９に記載の吻合装置（１０）において、
前記少なくとも１つのピン（２２）は、前記隣接部分（１８）にネジで取り付けられる、吻合装置。
【０１３１】
（６１）  実施態様５８〜６０のいずれかに記載の吻合装置（１０）において、
前記少なくとも１つのピン（２２）は、ガイドワイヤ（Ａ，Ｂ）を受容するのに適したチャネル（３４）をその中に定め、
前記ロック部分（２０）の前記それぞれのハウジング（２４）は、前記ガイドワイヤ（Ａ，Ｂ）を収容するのに適している、吻合装置。
（６２）  実施態様６１に記載の吻合装置（１０）において、
少なくとも２つのピン（２２）が、前記ロック部分（２０）の前記それぞれのハウジング（２４）に挿入されることにより、前記ロック部分（２０）と連結するように、前記隣接部分（１８）から延び、
前記少なくとも２つのピン（２２）のそれぞれは、その中にチャネル（３４）を定め、前記チャネル（３４）は、前記少なくとも２つのガイドワイヤ（Ａ，Ｂ）のうち１つを受容するのに適している、吻合装置。
（６３）  実施態様５１〜５８のいずれかに記載の吻合装置（１０）において、
前記少なくとも１つのピン（２２）は、前記ロック部分（２０）の前記それぞれのハウジング（２４）に結合された弾性タブ（２８）とのスナップ式嵌合部を定めるのに適した、少なくとも１つの成形部分（２６）を有し、
前記弾性タブは、前記ハウジング（２４）を延ばすために、前記隣接部分（１８）から離れて前記ピン（２２）の方向に延びる、吻合装置。
（６４）  実施態様５５〜６３のいずれかに記載の吻合装置（１０）において、
前記ロック部分（２０）は、吻合を形成するよう意図された領域にアクセスするための開口部（３６）を有する、吻合装置。
（６５）  実施態様６４に記載の吻合装置（１０）において、
前記ロック部分（２０）は、本質的に環状である、吻合装置。
【０１３２】
（６６）  実施態様６４または６５に記載の吻合装置（１０）において、
前記隣接部分（１８）は、前記吻合を形成するよう意図された前記領域にアクセスするために前記２つのガイドワイヤ（Ａ，Ｂ）間に位置する開口部（３８）であって、前記ロック部分（２０）の前記開口部（３６）に対応する、開口部（３８）を有する、吻合装置。
（６７）  実施態様６６に記載の吻合装置（１０）において、
前記隣接部分（１８）は、本質的に環状である、吻合装置。
（６８）  実施態様５５〜６７のいずれかに記載の吻合装置（１０）において、
前記ロック部分（２０）は、近づけられるべき前記第２の組織部分（１４）の表面に対して隣接するのに適した、粗い接触面（４０）を有する、吻合装置。
（６９）  実施態様５５〜６７のいずれかに記載の吻合装置（１０）において、
前記ロック部分（２０）は、近づけられるべき前記第２の組織部分（１４）の表面に対して隣接するのに適した、接触面（４０）を有し、
前記接触面（４０）は、先の尖った部材（４２）を含む、吻合装置。
（７０）  実施態様５５〜６７のいずれかに記載の吻合装置（１０）において、
前記ロック部分（２０）は、近づけられるべき前記第２の組織部分（１４）の表面に対して隣接するのに適した、接触面（４０）を有し、
前記接触面（４０）は、環状溝部（４３ａ）を含む、吻合装置。
【０１３３】
（７１）  実施態様５５〜６７のいずれかに記載の吻合装置（１０）において、
前記ロック部分（２０）は、近づけられるべき前記第２の組織部分（１４）の表面に対して隣接するのに適した、接触面（４０）を有し、
前記接触面（４０）は、例えば粒状で公表されている材料で作られた層（４３ｂ）を含む、吻合装置。
（７２）  実施態様４２〜７１のいずれかに記載の吻合装置（１０）において、
非生体吸収性材料で一体的に作られている、吻合装置。
（７３）  実施態様４２〜７１のいずれかに記載の吻合装置（１０）において、
生体分解性材料または生体適合性材料で一体的に作られている、吻合装置。
（７４）  実施態様４２〜７１のいずれかに記載の吻合装置（１０）において、
前記隣接部分（１８）と前記ロック部分（２０）との間の接続部材において、部分的に生体分解性材料または生体適合性材料で作られている、吻合装置。
（７５）  消化管の管吻合を行うための方法において、
近位端部（Ａ’、Ｂ’）と遠位端部（Ａ”，Ｂ”）との間に延在し、前記吻合が行われなければならない第１の組織部分（１２）および第２の組織部分（１４）を通過する少なくとも１つのガイドワイヤ（Ａ，Ｂ）を含むガイド手段を、自然のオリフィスまたは他の管腔構造体を通して導入するステップと、
前記第１の組織部分（１２）および前記第２の組織部分（１４）を引き合わせることにより、前記２つのガイドワイヤ（Ａ，Ｂ）に沿って吻合装置（実施態様１〜３３のいずれかに記載の吻合装置（１０））を挿入して吻合部位まで引っ張り、吻合を行うステップと、
を含む、方法。
【０１３４】
（７６）  実施態様７５に記載の方法において、
前記吻合装置（１０）の第１の部分（１８）は、ループを定める少なくとも２つのガイドワイヤ（Ａ，Ｂ）上で挿入され、かつ、ある方向にロックされ、前記ループの自由端のうち１つを引っ張ることで引かれる、方法。
（７７）  実施態様７６に記載の方法において、
前記吻合装置（１０）の前記第１の部分（１８）は、前記第１の部分（１８）が、接続されるべき前記第１の組織部分（１２）に隣接して部分的に挿入されるまで、引っ張られる、方法。
（７８）  実施態様７７に記載の方法において、
前記吻合装置（１０）の前記第１の部分（１８）は、接続されるべき前記第１の組織部分（１２）が、接続されるべき前記第２の組織部分（１４）に近づけられるまで、前記第１の組織部分（１２）と共にさらに引っ張られる、方法。
（７９）  実施態様７８に記載の方法において、
前記吻合装置（１０）の第２の部分（２０）は、前記ガイドワイヤ（Ａ，Ｂ）の遠位端部（Ａ”，Ｂ”）上に挿入され、前記吻合装置（１０）の前記第１の部分（１８）に向かって付勢される、方法。
（８０）  実施態様７９に記載の方法において、
前記吻合装置（１０）の前記第２の部分（２０）は、前記吻合装置（１０）の前記第１の部分（１８）にスナップ式に嵌まる、方法。
【０１３５】
（８１）  実施態様７９または８０に記載の方法において、
前記吻合装置（１０）の前記第２の部分（２０）は、実施態様３４〜４１のいずれかに記載のキットの位置付け装置（４８）により付勢される、方法。
（８２）  消化管の管吻合を行うための方法において、
自然のオリフィスまたは他の管腔構造体を通して、互いに並んで配された少なくとも２つのガイドワイヤ（Ａ，Ｂ）を導入するステップであって、前記ガイドワイヤ（Ａ，Ｂ）は、近位端部（Ａ’、Ｂ’）と遠位端部（Ａ”，Ｂ”）との間に延在しており、前記吻合を行う第１の組織部分（１２）および第２の組織部分（１４）を通過する、ステップと、
前記２つのガイドワイヤ（Ａ，Ｂ）に沿って、実施態様４２〜７４のいずれかに記載の吻合装置（１０）を挿入し、前記吻合装置（１０）を吻合部位まで引っ張り、前記第１の組織部分（１２）および前記第２の組織部分（１４）を引き合わせて、吻合を行うステップと、
を含む、方法。
【図面の簡単な説明】
【０１３６】
【図１】胃および腸の一部の斜視図を部分的に断面で示している。
【図２】図１の部分に対して行われる、消化管の管吻合を行うための方法のステップを示している。
【図３】方法のさらなるステップに対応する、図１からの細部の拡大斜視図を示している。
【図４】方法のさらなるステップに対応する、図１からの細部の拡大斜視図を示している。
【図５】方法のさらなるステップに対応する、図１からの細部の拡大斜視図を示している。
【図６】方法のさらなるステップに対応する、図１からの細部の拡大斜視図を示している。
【図７】第１の連続したステップの終了時における、図１の部分的に断面の斜視図を示している。
【図８】方法の可能な変形体に従った、図７の部分的に断面の斜視図を示している。
【図９】図７の部分に行われた方法のさらなるステップを示している。
【図１０】方法のさらなるステップに対応する、図７からの細部の拡大斜視図を示している。
【図１１】方法のさらなるステップに対応する、図７からの細部の拡大斜視図を示している。
【図１２】図７の部分に行われた、方法のさらなるステップを示している。
【図１３】方法のさらなるステップに対応する、図１２からの細部の拡大斜視図を示している。
【図１４】図７の部分に行われた方法のさらなるステップを示している。
【図１５】方法の第２の連続したステップの終了時における、図７の部分的に断面の斜視図を示している。
【図１６】方法の可能な変形体に従った、図８の部分的に断面の斜視図を示している。
【図１７】方法のさらなるステップで適用される本発明による吻合装置の１つの部分の斜視図を示している。
【図１８】図１６の部分に行われた方法のさらなるステップを示している。
【図１９】方法のさらなるステップに対応する、図１８からの細部の拡大斜視図を示している。
【図２０】方法のさらなるステップに対応する、図１８からの細部の拡大斜視図を示している。
【図２１】図１５の部分に行われた方法のさらなるステップを示している。
【図２２】方法のさらなるステップで適用される本発明による吻合装置の一部および位置付け装置の一部の斜視図を示している。
【図２３】方法のさらなるステップの胃の内側からの斜視図を示している。
【図２４】異なる視点による、図２３からの図を示している。
【図２５】方法のさらなるステップの胃の内側からの斜視図を示している。
【図２６】異なる視点による、図２５からの図を示している。
【図２７】方法のさらなるステップの胃の内側からの斜視図を示している。
【図２８】方法の第３の連続したステップの終了時における、図１の部分の細部の、部分的に透明な拡大斜視図を示している。
【図２９】方法の第３の連続したステップの終了時における、図１の部分の斜視図を示している。
【図３０】方法のいくつかのステップに用いられるのに適した、本発明による吻合装置の分解組立斜視図を示している。
【図３１】方法のいくつかのステップに用いられるのに適した挿入装置の細部の拡大斜視図を示している。
【図３２】方法のいくつかのステップに用いられるのに適した、本発明による位置付け装置の斜視図を示している。
【図３３】図３０の吻合装置の１つの部分の異なる実施形態に関連した、異なる視点による図３２の位置付け装置の斜視図を示している。
【図３４】図３０に示された吻合装置の異なる実施形態により実行される方法のステップの斜視図を示している。
【図３５】消化管の管吻合を行うための方法の可能な実施形態のステップを示している。
【図３６】消化管の管吻合を行うための方法の可能な実施形態の、図３５のステップに関連するステップを示している。
【図３７】装置の可能な、別の実施形態を示している。
【図３８】吻合装置の可能な、さらに別の実施形態を示している。
【図１】
2009523475.tif 000003
【図２】
2009523475.tif 000004
【図３】
2009523475.tif 000005
【図４】
2009523475.tif 000006
【図５】
2009523475.tif 000007
【図６】
2009523475.tif 000008
【図７】
2009523475.tif 000009
【図８】
2009523475.tif 000010
【図９】
2009523475.tif 000011
【図１０】
2009523475.tif 000012
【図１１】
2009523475.tif 000013
【図１２】
2009523475.tif 000014
【図１３】
2009523475.tif 000015
【図１４】
2009523475.tif 000016
【図１５】
2009523475.tif 000017
【図１６】
2009523475.tif 000018
【図１７】
2009523475.tif 000019
【図１８】
2009523475.tif 000020
【図１９】
2009523475.tif 000021
【図２０】
2009523475.tif 000022
【図２１】
2009523475.tif 000023
【図２２】
2009523475.tif 000024
【図２３】
2009523475.tif 000025
【図２４】
2009523475.tif 000026
【図２５】
2009523475.tif 000027
【図２６】
2009523475.tif 000028
【図２７】
2009523475.tif 000029
【図２８】
2009523475.tif 000030
【図２９】
2009523475.tif 000031
【図３０】
2009523475.tif 000032
【図３１】
2009523475.tif 000033
【図３２】
2009523475.tif 000034
【図３３】
2009523475.tif 000035
【図３４】
2009523475.tif 000036
【図３５】
2009523475.tif 000037
【図３６】
2009523475.tif 000038
【図３７】
2009523475.tif 000039
【図３８】
2009523475.tif 000040
【国際調査報告】
2009523475.tif 000041
2009523475.tif 000042
2009523475.tif 000043
2009523475.tif 000044